(57)【要約】【課題】特定の文字フォーマットを利用した所定の情報が表示される表示面の撮像画像に対して確認作業を要することなく自動保存可能な構成を提供する。【解決手段】撮像部２３により撮像された撮像画像に特定の文字フォーマットを利用した旅券情報６２の全体が含まれているか否かに基づいて、当該撮像画像に表示面６１の全体が含まれているか否かについて判定される。そして、撮像画像に表示面６１の全体が含まれていると判定された撮像画像がメモリ３５に保存される。【選択図】図１１
2018097565.tif 000002
【特許請求の範囲】
【請求項１】
特定の文字フォーマットを利用して所定の情報が表示面に表示される表示媒体を撮像して保存する撮像画像保存装置であって、
前記表示面がかざされる読取面と、
前記読取面にかざされた前記表示面を撮像する撮像手段と、
前記撮像手段により撮像された撮像画像に前記特定の文字フォーマットを利用した前記所定の情報の全体が含まれているか否かに基づいて、当該撮像画像に前記表示面全体が含まれているか否かについて判定する判定手段と、
前記判定手段により前記撮像画像に前記表示面全体が含まれていると判定された前記撮像画像が保存される保存手段と、
を備えることを特徴とする撮像画像保存装置。
【請求項２】
前記撮像手段により撮像された撮像画像に前記所定の情報の全体が含まれておらず当該所定の情報の一部が含まれていることから、前記判定手段により前記撮像画像に前記表示面全体が含まれていないと判定されると、前記読取面に対する前記表示面の移動を促す情報を報知する第１報知手段を備えることを特徴とする請求項１に記載の撮像画像保存装置。
【請求項３】
前記第１報知手段は、前記撮像手段により撮像された撮像画像に前記所定の情報の全体が含まれておらず当該所定の情報の一部が含まれていることから、前記判定手段により前記撮像画像に前記表示面全体が含まれていないと判定された後、所定時間経過後に再度前記判定手段により前記撮像画像に前記表示面全体が含まれていないと判定されると、前記読取面に対する前記表示面の移動を促す情報を報知することを特徴とする請求項２に記載の撮像画像保存装置。
【請求項４】
前記第１報知手段は、発光部による発光状態及び発音部による発音状態の少なくとも一方を利用して報知することを特徴とする請求項２または３に記載の撮像画像保存装置。
【請求項５】
前記判定手段は、前記所定の情報の全体が前記撮像画像のうちの特定の領域内に含まれる場合に、当該撮像画像に前記表示面全体が含まれていると判定することを特徴とする請求項１〜４のいずれか一項に記載の撮像画像保存装置。
【請求項６】
前記判定手段は、前記撮像手段により撮像された撮像画像において、前記所定の情報の全体が前記特定の領域内に含まれ、且つ、当該所定の情報の全体が占める画像領域の大きさが所定値以上となる場合に、当該撮像画像に前記表示面全体が含まれていると判定することを特徴とする請求項５に記載の撮像画像保存装置。
【請求項７】
前記撮像手段により撮像された撮像画像の一部を前記特定の領域が含まれるように抽出する第１抽出手段を備え、
前記判定手段は、前記第１抽出手段により抽出された前記撮像画像の一部に前記所定の情報の全体が含まれている場合に、前記撮像画像に前記表示面全体が含まれていると判定することを特徴とする請求項５に記載の撮像画像保存装置。
【請求項８】
前記判定手段は、前記第１抽出手段により抽出された前記撮像画像の一部に前記所定の情報の全体が含まれ、且つ、当該所定の情報の全体が占める画像領域の大きさが所定値以上となる場合に、当該撮像画像に前記表示面全体が含まれていると判定することを特徴とする請求項７に記載の撮像画像保存装置。
【請求項９】
前記撮像画像に前記表示面全体が含まれるように前記表示面が前記読取面にかざされるとき前記読取面との間に前記表示媒体が介在するように位置する対向面が設けられ、
前記対向面には、第１の識別表示が表示され、
前記判定手段は、前記撮像手段により撮像された撮像画像において前記第１の識別表示が含まれている場合に、当該撮像画像に前記表示面全体が含まれていないと判定することを特徴とする請求項１〜８のいずれか一項に記載の撮像画像保存装置。
【請求項１０】
前記対向面は、前記表示面を前記読取面にかざす際に前記表示媒体が差し込まれる差込口の一部を形成することを特徴とする請求項９に記載の撮像画像保存装置。
【請求項１１】
前記対向面には、前記第１の識別表示が複数表示され、
前記判定手段は、前記撮像手段により撮像された撮像画像において複数の前記第１の識別表示の少なくとも一部が含まれている場合に、当該撮像画像に前記表示面全体が含まれていないと判定することを特徴とする請求項９または１０に記載の撮像画像保存装置。
【請求項１２】
前記撮像手段により撮像された撮像画像に複数の前記第１の識別表示の少なくとも一部が含まれていることから、前記判定手段により前記表示面全体が含まれていないと判定されると、前記読取面に対する前記表示面の移動を促す情報を報知する第２報知手段を備えることを特徴とする請求項１１に記載の撮像画像保存装置。
【請求項１３】
前記第２報知手段は、前記撮像手段により撮像された撮像画像に複数の前記第１の識別表示の少なくとも一部が含まれていることから、前記判定手段により前記表示面全体が含まれていないと判定された後、所定時間経過後に再度前記判定手段により前記表示面全体が含まれていないと判定されると、前記読取面に対する前記表示面の移動を促す情報を報知することを特徴とする請求項１２に記載の撮像画像保存装置。
【請求項１４】
前記第２報知手段は、発光部による発光状態及び発音部による発音状態の少なくとも一方を利用して報知することを特徴とする請求項１２または１３に記載の撮像画像保存装置。
【請求項１５】
前記表示面が前記読取面にかざされていない状態において前記撮像手段により撮像された撮像画像のうち前記第１の識別表示が含まれる領域を識別表示領域とするとき、前記撮像手段により撮像された撮像画像の一部を前記識別表示領域が含まれるように抽出する第２抽出手段を備え、
前記判定手段は、前記第２抽出手段により抽出された前記撮像画像の一部に前記第１の識別表示が含まれている場合に、前記撮像画像に前記表示面全体が含まれていないと判定することを特徴とする請求項９〜１４のいずれか一項に記載の撮像画像保存装置。
【請求項１６】
前記撮像画像に前記表示面全体が含まれるように前記表示面が前記読取面にかざされるときに前記表示媒体との接触を検出する接触センサを備え、
前記判定手段は、前記接触センサにより前記表示媒体との接触状態が検出されない場合に、前記撮像画像に前記表示面全体が含まれていないと判定することを特徴とする請求項１〜１５のいずれか一項に記載の撮像画像保存装置。
【請求項１７】
前記接触センサを複数備え、
前記判定手段は、複数の前記接触センサの少なくとも一部により前記表示媒体との接触状態が検出されない場合に、前記撮像画像に前記表示面全体が含まれていないと判定することを特徴とする請求項１６に記載の撮像画像保存装置。
【請求項１８】
前記判定手段により前記撮像画像に前記表示面全体が含まれていると判定された前記撮像画像から、前記表示面に相当する部分を、表示面画像として切り出す切り出し手段を備え、
前記保存手段には、前記切り出し手段により切り出された前記表示面画像が保存されることを特徴とする請求項１〜１７のいずれか一項に記載の撮像画像保存装置。
【請求項１９】
前記切り出し手段は、前記所定の情報の位置を規準に前記撮像画像から前記表示面画像を切り出すことを特徴とする請求項１８に記載の撮像画像保存装置。
【請求項２０】
前記表示媒体を介して前記読取面を覆う蓋部が設けられ、
前記蓋部は、読取面側の面の色が所定色で統一され、
前記切り出し手段は、前記撮像画像から前記所定色となる領域を除くことで前記表示面画像を切り出すことを特徴とする請求項１８に記載の撮像画像保存装置。
【請求項２１】
前記表示面を前記読取面にかざす際に前記表示媒体が組み付けられるアタッチメントを備え、
前記アタッチメントは、前記表示媒体が組み付けられた状態で前記読取面に向かう面が当該読取面と同じ形状となるように形成されることを特徴とする請求項１〜１７のいずれか一項に記載の撮像画像保存装置。
【請求項２２】
前記撮像手段により撮像された情報コードを光学的に読み取る情報コード読取手段を備え、
前記アタッチメントの前記読取面に向かう面には、複数のセルが配列されてなる情報コードが付され、
前記セルのサイズは、前記アタッチメントが前記読取面に接触しているときに前記情報コードが読み取り可能であって前記アタッチメントが前記読取面から離れていると前記情報コードが読み取り不能となるように小さく設定され、
前記情報コード読取手段により前記情報コードが読み取れない場合に、前記撮像画像に前記表示面全体が含まれていないと判定することを特徴とする請求項２１に記載の撮像画像保存装置。
【請求項２３】
前記情報コード読取手段により前記情報コードが読み取られて前記判定手段により前記撮像画像に前記表示面全体が含まれていると判定された前記撮像画像から、前記表示面に相当する部分を、前記情報コードの位置に基づいて表示面画像として切り出す切り出し手段を備え、
前記保存手段には、前記切り出し手段により切り出された前記表示面画像が保存されることを特徴とする請求項２２に記載の撮像画像保存装置。
【請求項２４】
前記アタッチメントの前記読取面に向かう面には、規定の大きさの第２の識別表示が付され、
前記判定手段は、前記撮像手段により撮像された前記第２の識別表示が占める領域の画素サイズが前記規定の大きさに相当する画素サイズに一致するとみなされない場合に、当該撮像画像に前記表示面全体が含まれていないと判定することを特徴とする請求項２１に記載の撮像画像保存装置。
【請求項２５】
前記撮像手段により撮像された前記第２の識別表示が占める領域の画素サイズが前記規定の大きさに相当する画素サイズに一致するとみなされて前記判定手段により前記撮像画像に前記表示面全体が含まれていると判定された前記撮像画像から、前記表示面に相当する部分を、前記第２の識別表示の位置に基づいて表示面画像として切り出す切り出し手段を備え、
前記保存手段には、前記切り出し手段により切り出された前記表示面画像が保存されることを特徴とする請求項２４に記載の撮像画像保存装置。
【請求項２６】
前記撮像手段により撮像された情報コードおよび文字情報を光学的に読み取る光学的情報読取手段を備えることを特徴とする請求項１〜２５のいずれか一項に記載の撮像画像保存装置。
【請求項２７】
特定の文字フォーマットを利用して所定の情報が表示面に表示される表示媒体を撮像して保存する撮像画像保存装置であって、
前記表示面がかざされる読取面と、
前記読取面にかざされた前記表示面を撮像する撮像手段と、
前記撮像画像に前記表示面全体が含まれるように前記表示面が前記読取面にかざされるとき前記読取面との間に前記表示媒体が介在するように位置する対向面と、
前記対向面に表示される第１の識別表示と、
前記撮像手段により撮像された撮像画像において前記第１の識別表示が含まれているか否かに基づいて、当該撮像画像に前記表示面全体が含まれているか否かについて判定する判定手段と、
前記判定手段により前記撮像画像に前記表示面全体が含まれていると判定された前記撮像画像が保存される保存手段と、
を備えることを特徴とする撮像画像保存装置。
【請求項２８】
特定の文字フォーマットを利用して所定の情報が表示面に表示される表示媒体を撮像して保存する撮像画像保存装置であって、
前記表示面がかざされる読取面と、
前記読取面にかざされた前記表示面を撮像する撮像手段と、
前記撮像手段により撮像された撮像画像に前記表示面全体が含まれるように前記表示面が前記読取面にかざされるときに前記表示媒体との接触を検出する接触センサと、
前記接触センサによる検出結果に基づいて、当該撮像画像に前記表示面全体が含まれているか否かについて判定する判定手段と、
前記判定手段により前記撮像画像に前記表示面全体が含まれていると判定された前記撮像画像が保存される保存手段と、
を備えることを特徴とする撮像画像保存装置。
【請求項２９】
請求項１〜２８のいずれか一項に記載の撮像画像保存装置と、
前記撮像画像保存装置と通信可能な上位端末と、
を備える情報管理システムであって、
前記撮像画像保存装置は、前記保存手段に保存される前記撮像画像を前記上位端末に対して送信し、
前記上位端末は、前記撮像画像保存装置から受信した前記撮像画像を利用した処理を行うことを特徴とする情報管理システム。
【請求項３０】
請求項２〜４、１２〜１４のいずれか一項に記載の撮像画像保存装置と、
前記撮像画像保存装置と通信可能な上位端末と、
を備える情報管理システムであって、
前記撮像画像保存装置は、前記保存手段に保存される前記撮像画像を前記上位端末に対して送信し、前記読取面に対する前記表示面の移動を促す情報を前記上位端末に対して送信することで報知し、
前記上位端末は、前記撮像画像保存装置から受信した前記撮像画像を利用した処理を行い、前記撮像画像保存装置から報知された情報に関する情報が画面表示される表示手段を備えることを特徴とする情報管理システム。
【発明の詳細な説明】
【技術分野】
【０００１】
本発明は、撮像画像保存装置および情報管理システムに関するものである。
【背景技術】
【０００２】
現在、日本で訪日外国人が宿泊施設に泊まる際には、宿泊施設側でパスポートの写しを３年以上保存することが旅館業法で定められていることから、宿泊施設の従業員は、チェックイン処理時等に、コピー機等を利用することでパスポートを複写して保存するかその撮像画像を保存している。しかし、昨今の外国人観光客の急速な増加によりチェックイン処理時等の作業効率の向上が求められるようになり、セルフチェックイン端末を導入して、観光客自身がパスポートのコピーを行う方式が増え始めている。このようなセルフチェックイン端末に関する技術としては、例えば、下記特許文献１に開示されるルームキー発行システムが知られている。このシステムでは、観光客自身が操作してパスポートを読み取らせることで自動的にチェックインを行ってルームキーを発行し、パスポート画像を保存している。
【先行技術文献】
【特許文献】
【０００３】
【特許文献１】特開２００８−１０２７５７号公報
【発明の概要】
【発明が解決しようとする課題】
【０００４】
ところで、観光客自身が操作してパスポートの画像を撮像する場合、パスポートをかざす位置が読取面からずれていたり読取面から離れていたりすると、パスポートの全体が撮像されずに顔写真等の必要な情報等が欠けた状態でその撮像画像が保存されてしまう可能性が有る。このため、セルフチェックイン端末等を利用する場合でも、観光客自身が操作して撮像した画像を従業員等がチェックする必要があり、完全な自動化が困難であるという問題がある。この問題は、パスポートに限らず、例えば、免許書等、所定の情報が表示面に表示される表示媒体を撮像した撮像画像を自動的に保存するような構成であれば同様に生じてしまう。
【０００５】
本発明は、上述した課題を解決するためになされたものであり、その目的とするところは、特定の文字フォーマットを利用した所定の情報が表示される表示面の撮像画像に対して確認作業を要することなく自動保存可能な構成を提供することにある。
【課題を解決するための手段】
【０００６】
上記目的を達成するため、特許請求の範囲の請求項１に記載の発明は、
特定の文字フォーマットを利用して所定の情報（６２）が表示面（６１，６１ａ，６１ｂ）に表示される表示媒体（６０，６０ａ，６０ｂ）を撮像して保存する撮像画像保存装置（１，１ａ〜１ｃ）であって、
前記表示面がかざされる読取面（５）と、
前記読取面にかざされた前記表示面を撮像する撮像手段（２３）と、
前記撮像手段により撮像された撮像画像に前記特定の文字フォーマットを利用した前記所定の情報の全体が含まれているか否かに基づいて、当該撮像画像に前記表示面全体が含まれているか否かについて判定する判定手段（４０）と、
前記判定手段により前記撮像画像に前記表示面全体が含まれていると判定された前記撮像画像が保存される保存手段（３５）と、
を備えることを特徴とする。
【０００７】
また、請求項２９に記載の発明は、
請求項１〜２８のいずれか一項に記載の撮像画像保存装置（１，１ａ〜１ｃ）と、
前記撮像画像保存装置と通信可能な上位端末（１０１，１０１ａ）と、
を備える情報管理システム（１００，１００ａ）であって、
前記撮像画像保存装置は、前記保存手段に保存される前記撮像画像を前記上位端末に対して送信し、
前記上位端末は、前記撮像画像保存装置から受信した前記撮像画像を利用した処理を行うことを特徴とする。
なお、上記各括弧内の符号は、後述する実施形態に記載の具体的手段との対応関係を示すものである。
【発明の効果】
【０００８】
請求項１の発明では、撮像手段により撮像された撮像画像に特定の文字フォーマットを利用した所定の情報の全体が含まれているか否かに基づいて、当該撮像画像に表示面全体が含まれているか否かについて判定手段により判定される。そして、判定手段により撮像画像に表示面全体が含まれていると判定された撮像画像が保存手段に保存される。
【０００９】
これにより、撮像画像に表示面全体が含まれていない場合にはその撮像画像が保存されないので、撮像画像に表示面全体が含まれているか否かについて従業員等が確認作業を行う必要も無い。特に、特定の文字フォーマットを利用するので、目的の表示媒体の表示面を撮像しているか否かを容易に判定でき、その判定精度を高めることができる。したがって、特定の文字フォーマットを利用した所定の情報が表示される表示面の撮像画像に対して確認作業を要することなく自動保存でき、撮像画像の保存に関する作業の自動化を図り易くすることができる。
【００１０】
請求項２では、撮像手段により撮像された撮像画像に所定の情報の全体が含まれておらず当該所定の情報の一部が含まれていることから、判定手段により撮像画像に表示面全体が含まれていないと判定されると、読取面に対する表示面の移動を促す情報が第１報知手段により報知される。これにより、報知を受けた利用者が、読取面に対して表示面を正しくかざしていないことを知得して表示面を正しい位置にかざすことで、撮像画像に表示面全体が含まれていない状態を迅速に解消することができる。
【００１１】
請求項３では、撮像手段により撮像された撮像画像に所定の情報の全体が含まれておらず当該所定の情報の一部が含まれていることから、判定手段により撮像画像に表示面全体が含まれていないと判定された後、所定時間経過後に再度判定手段により撮像画像に表示面全体が含まれていないと判定されると、読取面に対する表示面の移動を促す情報が第１報知手段により報知される。これにより、撮像画像に所定の情報の一部のみが含まれていても上記所定時間が経過するまで第１報知手段による報知がなされないため、読取面に対して表示面をかざしている途中に所定の情報の一部のみが撮像されるような場合にまで報知がなされることもないので、不要な報知を抑制することができる。
【００１２】
請求項４では、第１報知手段は、発光部による発光状態及び発音部による発音状態の少なくとも一方を利用して報知するため、報知を受けた利用者は、読取面に対して表示面を正しくかざしていないことを容易に知得することができる。
【００１３】
請求項５では、所定の情報の全体が撮像画像のうちの特定の領域内に含まれる場合に、当該撮像画像に表示面全体が含まれていると判定手段により判定される。読取面に対して表示面を正しくかざしたときに撮像された撮像画像において所定の情報の全体が占める位置を上記特定の領域として予め設定することで、所定の情報に関して判定基準となる領域が明確になり、上記判定精度を向上させることができる。
【００１４】
請求項６では、撮像手段により撮像された撮像画像において、所定の情報の全体が特定の領域内に含まれ、且つ、当該所定の情報の全体が占める画像領域の大きさが所定値以上となる場合に、当該撮像画像に表示面全体が含まれていると判定手段により判定される。読取面に対して表示面を近づけている途中に撮像された撮像画像では、所定の情報の全体が占める画像領域の大きさは、読取面に対して表示面を接触させた状態で撮像された撮像画像での大きさよりも小さくなる。このため、さらに、所定の情報の全体が占める画像領域の大きさが所定値以上となる判定条件を追加することで、所定の情報の全体が特定の領域内に含まれている撮像状態であっても、読取面に対して表示面を近づけている途中に撮像された撮像画像が保存されることを抑制することができる。
【００１５】
請求項７では、撮像手段により撮像された撮像画像の一部が上記特定の領域を含むように第１抽出手段により抽出され、この抽出された撮像画像の一部に所定の情報の全体が含まれている場合に、撮像画像に表示面全体が含まれていると判定手段により判定される。これにより、撮像画像から上述のように抽出した一部を判定用の画像領域として限定することができ、撮像画像の全てについて所定の情報の全体が含まれているか否かを判定する場合と比較して、判定処理の迅速化を図ることができる。
【００１６】
請求項８では、第１抽出手段により抽出された撮像画像の一部に所定の情報の全体が含まれ、且つ、当該所定の情報の全体が占める画像領域の大きさが所定値以上となる場合に、当該撮像画像に表示面全体が含まれていると判定手段により判定される。読取面に対して表示面を近づけている途中に撮像された撮像画像では、所定の情報の全体が占める画像領域の大きさは、読取面に対して表示面を接触させた状態で撮像された撮像画像での大きさよりも小さくなる。このため、さらに、所定の情報の全体が占める画像領域の大きさが所定値以上となる判定条件を追加することで、抽出された撮像画像の一部に所定の情報の全体が含まれている撮像状態であっても、読取面に対して表示面を近づけている途中に撮像された撮像画像が保存されることを抑制することができる。
【００１７】
請求項９では、撮像画像に表示面全体が含まれるように表示面が読取面にかざされるとき読取面との間に表示媒体が介在するように位置する対向面が設けられ、この対向面には、第１の識別表示が表示される。そして、撮像手段により撮像された撮像画像において第１の識別表示が含まれている場合に、当該撮像画像に表示面全体が含まれていないと判定手段により判定される。これにより、撮像画像に表示面全体が含まれるように表示面が読取面にかざされていると第１の識別表示が撮像されなくなるため、第１の識別表示の撮像の有無を判定条件の一部とすることができ、上記判定精度を向上させることができる。
【００１８】
請求項１０では、対向面は、表示面を読取面にかざす際に表示媒体を差し込む差込口の一部を形成する。これにより、表示媒体を差込口に差し込むように表示面を読取面にかざした場合には表示媒体により対向面が隠されて第１の識別表示が撮像されなくなるため、上記判定精度をさらに向上させることができる。
【００１９】
請求項１１では、対向面には、第１の識別表示が複数表示されており、撮像手段により撮像された撮像画像において複数の第１の識別表示の少なくとも一部が含まれている場合に、当該撮像画像に表示面全体が含まれていないと判定手段により判定される。このように対向面に表示される複数の第１の識別表示の撮像の有無を判定条件の一部とすることで、読取面に対して表示面をかざしている途中に複数の第１の識別表示の一部が撮像されなくなる場合でも当該撮像画像に表示面全体が含まれると判定されることもないので、上記判定精度をより向上させることができる。
【００２０】
請求項１２では、撮像手段により撮像された撮像画像に複数の第１の識別表示の少なくとも一部が含まれていることから、判定手段により表示面全体が含まれていないと判定されると、読取面に対する表示面の移動を促す情報が第２報知手段により報知される。これにより、報知を受けた利用者が、読取面に対して表示面を正しくかざしていないことを知得して表示面を正しい位置にかざすことで、撮像画像に表示面全体が含まれていない状態を迅速に解消することができる。
【００２１】
請求項１３では、撮像手段により撮像された撮像画像に複数の第１の識別表示の少なくとも一部が含まれていることから、判定手段により表示面全体が含まれていないと判定された後、所定時間経過後に再度判定手段により表示面全体が含まれていないと判定されると、読取面に対する表示面の移動を促す情報が第２報知手段により報知される。これにより、撮像画像に複数の第１の識別表示の一部が含まれていても上記所定時間が経過するまで第２報知手段による報知がなされないため、読取面に対して表示面をかざしている途中に複数の第１の識別表示の一部が撮像されるような場合にまで報知がなされることもないので、不要な報知を抑制することができる。
【００２２】
請求項１４では、第２報知手段は、発光部による発光状態及び発音部による発音状態の少なくとも一方を利用して報知するため、報知を受けた利用者は、読取面に対して表示面を正しくかざしていないことを容易に知得することができる。
【００２３】
請求項１５では、表示面が読取面にかざされていない状態において撮像手段により撮像された撮像画像のうち第１の識別表示が含まれる領域を識別表示領域とするとき、撮像手段により撮像された撮像画像の一部が上記識別表示領域を含むように第２抽出手段により抽出され、この抽出された撮像画像の一部に第１の識別表示が含まれている場合に、撮像画像に表示面全体が含まれていないと判定手段により判定される。これにより、撮像画像から上述のように抽出した一部を判定用の画像領域として限定することができ、撮像画像の全てについて第１の識別表示が含まれているか否かを判定する場合と比較して、判定処理の迅速化を図ることができる。
【００２４】
請求項１６では、撮像画像に表示面全体が含まれるように表示面が読取面にかざされるときに表示媒体との接触を検出する接触センサが設けられている。そして、接触センサにより表示媒体との接触状態が検出されない場合に、撮像画像に表示面全体が含まれていないと判定手段により判定される。これにより、接触センサによる検出結果を判定条件の一部とすることができ、上記判定精度を向上させることができる。
【００２５】
請求項１７では、接触センサが複数設けられており、複数の接触センサの少なくとも一部により表示媒体との接触状態が検出されない場合に、撮像画像に表示面全体が含まれていないと判定手段により判定される。このように複数の接触センサの検出結果を判定条件の一部とすることで、読取面に対して表示面をかざしている途中に複数の接触センサの一部にて接触が検出される場合でも当該撮像画像に表示面全体が含まれると判定されることもないので、上記判定精度をより向上させることができる。
【００２６】
請求項１８では、判定手段により撮像画像に表示面全体が含まれていると判定された撮像画像から表示面に相当する部分が表示面画像として切り出し手段により切り出され、この切り出された表示面画像が保存手段に保存される。これにより、撮像画像全体を保存する場合よりも保存手段に保存される画像サイズが小さくなるので、保存に必要なデータ量を削減することができる。
【００２７】
請求項１９では、切り出し手段は、所定の情報の位置を規準に撮像画像から表示面画像を切り出すため、切り出す基準が明確となり、切り出し処理に関する切り出し精度を向上させることができる。
【００２８】
請求項２０では、表示媒体を介して読取面を覆う蓋部が設けられ、この蓋部は、読取面側の面の色が所定色で統一されている。そして、撮像画像から所定色となる領域を除くことで表示面画像が切り出し手段により切り出される。これにより、撮像画像において表示面画像と異なる領域は上記所定色となるので、当該所定色を基準に表示面画像を切り出すことができ、切り出し処理に関する切り出し精度を向上させることができる。
【００２９】
請求項２１では、表示面を読取面にかざす際に表示媒体が組み付けられるアタッチメントが設けられ、このアタッチメントは、表示媒体が組み付けられた状態で読取面に向かう面が当該読取面と同じ形状となるように形成される。これにより、表示媒体が組み付けられたアタッチメントを読取面に合わせるようにかざすことで、撮像画像に表示面全体が含まれ易くなるので、表示面全体が撮像された撮像画像を保存し易くすることができる。
【００３０】
請求項２２では、撮像手段により撮像された情報コードを光学的に読み取る情報コード読取手段が設けられており、アタッチメントの読取面に向かう面には、複数のセルが配列されてなる情報コードが付され、このセルのサイズは、アタッチメントが読取面に接触しているときに情報コードが読み取り可能であってアタッチメントが読取面から離れていると情報コードが読み取り不能となるように小さく設定されている。そして、情報コード読取手段により情報コードが読み取れない場合に、撮像画像に表示面全体が含まれていないと判定手段により判定される。このため、表示媒体が組み付けられたアタッチメントを読取面に対して近づけている途中に撮像された情報コードは読み取り不能となり、撮像画像に表示面全体が含まれていないと判定手段により判定される。これにより、読取面に対して表示面を近づけている途中に撮像された撮像画像が保存されることを抑制することができる。
【００３１】
請求項２３では、情報コード読取手段により情報コードが読み取られて判定手段により撮像画像に表示面全体が含まれていると判定された撮像画像から、表示面に相当する部分が、情報コードの位置に基づいて表示面画像として切り出し手段により切り出されて、保存手段に保存される。これにより、撮像画像全体を保存する場合よりも保存手段に保存される画像サイズが小さくなるので、保存に必要なデータ量を削減することができる。特に、情報コードの位置に基づいて撮像画像から表示面画像を切り出すため、切り出す基準が明確となり、切り出し処理に関する切り出し精度を向上させることができる。
【００３２】
請求項２４では、アタッチメントの読取面に向かう面には、規定の大きさの第２の識別表示が付されており、撮像手段により撮像された第２の識別表示が占める領域の画素サイズが規定の大きさに相当する画素サイズに一致するとみなされない場合に、当該撮像画像に表示面全体が含まれていないと判定手段により判定される。表示媒体が組み付けられたアタッチメントを読取面に対して近づけている途中に撮像された撮像画像では、第２の識別表示が占める画像領域の大きさは、アタッチメントを読取面に対して接触させた状態で撮像された撮像画像での大きさよりも小さくなる。このため、さらに、第２の識別表示が占める画像領域の大きさが所定値以上となる判定条件を追加することで、表示媒体が組み付けられたアタッチメントを読取面に対して近づけている途中に撮像された撮像画像が保存されることを抑制することができる。
【００３３】
請求項２５では、撮像手段により撮像された第２の識別表示が占める領域の画素サイズが規定の大きさに相当する画素サイズに一致するとみなされて判定手段により撮像画像に表示面全体が含まれていると判定された撮像画像から、表示面に相当する部分が、第２の識別表示の位置に基づいて表示面画像として切り出し手段により切り出されて、保存手段に保存される。これにより、撮像画像全体を保存する場合よりも保存手段に保存される画像サイズが小さくなるので、保存に必要なデータ量を削減することができる。特に、第２の識別表示の位置に基づいて撮像画像から表示面画像を切り出すため、切り出す基準が明確となり、切り出し処理に関する切り出し精度を向上させることができる。
【００３４】
請求項２６では、撮像手段により撮像された情報コードおよび文字情報を光学的に読み取る光学的情報読取手段が設けられるため、撮像画像保存装置を情報コードや文字情報を読み取ることができる光学的情報読取装置として利用することができる。
【００３５】
請求項２７では、撮像画像に表示面全体が含まれるように表示面が読取面にかざされるとき読取面との間に表示媒体が介在するように位置する対向面が設けられ、この対向面には第１の識別表示が表示されている。そして、撮像手段により撮像された撮像画像において第１の識別表示が含まれているか否かに基づいて、当該撮像画像に表示面全体が含まれているか否かについて判定手段により判定され、判定手段により撮像画像に表示面全体が含まれていると判定された撮像画像が保存手段に保存される。
【００３６】
これにより、撮像画像に表示面全体が含まれていない場合にはその撮像画像が保存されないので、撮像画像に表示面全体が含まれているか否かについて従業員等が確認作業を行う必要も無い。特に、撮像画像に表示面全体が含まれるように表示面が読取面にかざされていると第１の識別表示が撮像されなくなるため、目的の表示媒体の表示面を撮像しているか否かを容易に判定でき、その判定精度を高めることができる。したがって、所定の情報が表示される表示面の撮像画像に対して確認作業を要することなく自動保存でき、撮像画像の保存に関する作業の自動化を図り易くすることができる。
【００３７】
請求項２８では、撮像画像に表示面全体が含まれるように表示面が読取面にかざされるときに表示媒体との接触を検出する接触センサが設けられる。そして、接触センサによる検出結果に基づいて、当該撮像画像に表示面全体が含まれているか否かについて判定手段により判定され、判定手段により撮像画像に表示面全体が含まれていると判定された撮像画像が保存手段に保存される。
【００３８】
これにより、撮像画像に表示面全体が含まれていない場合にはその撮像画像が保存されないので、撮像画像に表示面全体が含まれているか否かについて従業員等が確認作業を行う必要も無い。特に、撮像画像に表示面全体が含まれるように表示面が読取面にかざされていると表示媒体との接触が接触センサにより検出されるため、目的の表示媒体の表示面を撮像しているか否かを容易に判定でき、その判定精度を高めることができる。したがって、所定の情報が表示される表示面の撮像画像に対して確認作業を要することなく自動保存でき、撮像画像の保存に関する作業の自動化を図り易くすることができる。
【００３９】
請求項２９では、撮像画像保存装置から保存手段に保存される撮像画像を受信した上位端末により、この撮像画像を利用した処理、例えば、撮像画像の印刷や画像表示等の処理が行われるので、確認作業を要することなく自動保存された撮像画像を利用でき、撮像画像に関する情報管理の利便性を向上させることができる。
【００４０】
請求項３０では、撮像画像保存装置から保存手段に保存される撮像画像を受信した上位端末により、この撮像画像を利用した処理、例えば、撮像画像の印刷や画像表示等の処理が行われるので、確認作業を要することなく自動保存された撮像画像を利用でき、撮像画像に関する情報管理の利便性を向上させることができる。特に、撮像画像保存装置から報知された情報に関する情報が表示手段により画面表示されるため、報知を受けた利用者は、読取面に対して表示面を正しくかざしていないことを容易に視認することができる。
【図面の簡単な説明】
【００４１】
【図１】第１実施形態に係る情報読取装置を概略的に示す斜視図である。
【図２】図１の情報読取装置の平面図である。
【図３】図２の情報読取装置のＡ−Ａ断面を概略的に示す断面概略図である。
【図４】図３の情報読取装置のＢ−Ｂ断面を概略的に示す断面概略図である。
【図５】図３の情報読取装置のＣ−Ｃ断面を概略的に示す断面概略図である。
【図６】図３の情報読取装置のＤ−Ｄ断面を概略的に示す断面概略図である。
【図７】図３の情報読取装置のＥ−Ｅ断面を概略的に示す断面概略図である。
【図８】図１の情報読取装置の電気的構成を概略的に例示するブロック図である。
【図９】図１の情報読取装置で構成される高照度領域等を説明する説明図である。
【図１０】パスポートにおける表示面の表示状態を示す説明図である。
【図１１】第１実施形態において情報読取装置にて行われる画像保存処理の流れを例示するフローチャートである。
【図１２】パスポートの表示面全体を撮像した撮像画像を例示する説明図である。
【図１３】パスポートの表示面が読取口に対して適切にかざされた状態を示す斜視図である。
【図１４】図１４（Ａ）は、パスポートの表示面が読取口に対してずれた状態を示す斜視図であり、図１４（Ｂ）は、パスポートの表示面が読取口から離れた状態を示す斜視図である。
【図１５】図１５（Ａ）は、図１４（Ａ）の状態で撮像された撮像画像を例示する説明図であり、図１５（Ｂ）は、図１４（Ｂ）の状態で撮像された撮像画像を例示する説明図である。
【図１６】逆向きにかざされたパスポートの表示面全体を撮像した撮像画像を例示する説明図である。
【図１７】第２実施形態において情報読取装置にて行われる画像保存処理の流れを例示するフローチャートである。
【図１８】第３実施形態において情報読取装置にて行われる画像保存処理の流れを例示するフローチャートである。
【図１９】パスポートの表示面が読取口に対して適切にかざされた状態にて特定の領域に相当する撮像領域が撮像画像の一部として取り込まれる状態を説明する説明図である。
【図２０】パスポートの表示面が読取口に対してずれた状態にて特定の領域に相当する撮像領域が撮像画像の一部として取り込まれる状態を説明する説明図である。
【図２１】第４実施形態に係る情報読取装置を概略的に示す斜視図である。
【図２２】パスポートが差込口に差し込まれていない状態で撮像された撮像画像を例示する説明図である。
【図２３】第４実施形態において情報読取装置にて行われる画像保存処理の流れを例示するフローチャートである。
【図２４】パスポートが差込口に差し込まれている途中で撮像された撮像画像を例示する説明図である。
【図２５】第４実施形態の第１変形例において情報読取装置にて行われる画像保存処理の流れを例示するフローチャートである。
【図２６】第４実施形態の第２変形例において情報読取装置にて行われる画像保存処理の流れを例示するフローチャートである。
【図２７】第５実施形態において情報読取装置にて行われる画像保存処理の流れを例示するフローチャートである。
【図２８】識別表示領域に相当する撮像領域が撮像画像の一部として取り込まれる状態を説明する説明図である。
【図２９】パスポートの表示面が読取口に対してずれた状態にて識別表示領域に相当する撮像領域が撮像画像の一部として取り込まれる状態を説明する説明図である。
【図３０】第６実施形態に係る情報読取装置を概略的に示す斜視図である。
【図３１】第６実施形態において情報読取装置にて行われる画像保存処理の流れを例示するフローチャートである。
【図３２】図３２（Ａ）は、パスポートの表示面が読取口から離れた状態を示す斜視図であり、図３２（Ｂ）は、パスポートの表示面が読取口に対してずれた状態を示す斜視図である。
【図３３】パスポートの表示面が読取口に対して適切にかざされた状態を示す斜視図である。
【図３４】第６実施形態の第１変形例において情報読取装置にて行われる画像保存処理の流れを例示するフローチャートである。
【図３５】第７実施形態に係る情報読取装置を概略的に示す斜視図である。
【図３６】第７実施形態において情報読取装置にて行われる画像保存処理の流れを例示するフローチャートである。
【図３７】第７実施形態の第１変形例に係る情報読取装置を概略的に示す斜視図である。
【図３８】第７実施形態の第２変形例に係る情報読取装置を概略的に示す斜視図であり、図３８（Ａ）は、蓋部を折り畳んだ状態を示し、図３８（Ｂ）は、蓋部を延ばした状態を示す。
【図３９】第８実施形態に係る情報読取装置の要部を説明する説明図であり、図３９（Ａ）は、運転免許証用のアタッチメントを示し、図３９（Ｂ）は、名刺用のアタッチメントを示す。
【図４０】第８実施形態において情報読取装置にて行われる画像保存処理の流れを例示するフローチャートである。
【図４１】第８実施形態の第１変形例に係る情報読取装置の要部を説明する説明図である。
【図４２】第８実施形態の第２変形例に係る情報読取装置の要部を説明する説明図である。
【図４３】第９実施形態に係る情報読取装置を備える情報管理システムの概略構成を説明する説明図である。
【図４４】図４３の情報管理システムの電気的構成を概略的に例示するブロック図である。
【図４５】第９実施形態の変形例に係る情報読取装置を備える情報管理システムの概略構成を説明する説明図である。
【図４６】第６実施形態の第２変形例において情報読取装置にて行われる画像保存処理の流れを例示するフローチャートである。
【発明を実施するための形態】
【００４２】
［第１実施形態］
以下、本発明に係る撮像画像保存装置を情報読取装置に適用した第１実施形態について、図面を参照して説明する。
図１及び図２に示す情報読取装置１は、机や棚などの上面を載置面としてこの載置面上に載置される据置型の装置であって、撮像した表示媒体の情報を読み取るだけでなく当該表示媒体の撮像画像を保存可能な撮像画像保存装置として構成されるものである。本実施形態では、特定の文字フォーマットを利用した所定の情報や情報コード等が表示面に表示される表示媒体を撮像対象としている。このため、情報読取装置１は、撮像した文字情報等を認識する公知の記号認識処理機能（ＯＣＲ）や撮像した情報コードを読み取る情報コードリーダとしての機能など、撮像した光学的情報を光学的に読み取る機能（光学的情報読取手段）を有するように構成されている。
【００４３】
本実施形態では、特定の文字フォーマットを利用して所定の情報等が表示面に表示される表示媒体として、例えば、図１０に例示するようなパスポート（旅券）６０を想定している。パスポート６０は、図１０に示すように、国際民間航空機関（ＩＣＡＯ）が発行するＤｏｃ９３０３の規格に基づいて、顔写真が表示された身分事項のページ（以下、表示面６１ともいう）の下欄となる決められた領域に、決められた特定の文字フォーマットを利用した旅券情報６２が表示されている。そして、情報読取装置１が撮像画像保存装置として機能する場合には、表示面６１が撮像された撮像画像を保存するための画像保存処理がなされる。なお、情報コードとしては、例えば、バーコード等の一次元コードやＱＲコード（登録商標）等の二次元コードなど複数種類のセルが配列されて構成される公知のコードを想定している。
【００４４】
まず、情報読取装置１の構成について詳述する。
情報読取装置１は、例えばＡＢＳ樹脂等の樹脂材料によって構成されるケース３を備えている。このケース３は、図１等に示すように、上ケース４ａと下ケース４ｂと備えており、これら上ケース４ａと下ケース４ｂとが上下に組み付けられた構成で全体として箱状に形成されている。そして、ケース３の内部には、後述する反射部材２９、結像部２７、撮像部２３、導光部材５０などの各部品が収容されている。また、図２等に示すように、ケース３の上面部（読取側壁部３ａ）には光の出入口となる読取口５が形成されており、読取口５を介してケース外からの光がケース内に入り込み、ケース内からの光がケース外に放出されるようになっている。そして、反射部材２９、結像部２７、撮像部２３によって構成される光学系は、この読取口５を介してケース外の表示媒体を撮像するように機能する。
【００４５】
また、箱状に構成されるケース３には、情報読取装置１を載置するときの載置面側（載置面Ｆ側）に設けられる底壁部３ｂと、読取口５が形成された読取側壁部３ａとが対向して設けられている。そして、底壁部３ｂが載置面Ｆに支持されるように配置され、この底壁部３ｂと対向する読取側壁部３ａが、表示媒体を翳す側の露出壁部として構成されている。なお、本構成では、底壁部３ｂと読取側壁部３ａとの対向方向（即ち、ケース３の厚さ方向であり、図３に示す載置面Ｆと直交する方向）を上下方向とし、読取口５が形成された側（読取側壁部３ａ側）を上方側、それとは反対側（底壁部３ｂ側）を下方側としている。また、この上下方向と直交する平面方向を水平方向としている。なお、プレート７の厚さ方向（即ち、プレート７の板面と直交する方向）も上下方向となっており、後述する第２視野範囲ＡＲ２の光軸Ｌ２の方向も上下方向となっている。
【００４６】
ケース３の上面側には、上ケース４ａの上端部に形成された開口部４ｃを閉じる構成でプレート７が配置されている。このプレート７は、所定の厚さの平坦な板として構成され、ケース３の外部からの光が透過可能となる光透過性の部材（例えば、透明なアクリル樹脂や透明ガラス等）によって構成されている。このプレート７は、防塵プレートとして機能しており、このようなプレート７が上ケース４ａに形成された開口部４ｃを閉塞することで、ケース３を閉塞し、ケース３の内部（特に、反射部材２９、結像部２７、撮像部２３などが収容された収容空間）にケース外からの異物（塵や埃など）が入り込みにくくなっている。また、プレート７の上面部（ケース外に露出する側の板面部）を部分的に覆う構成で光遮光性の塗料などからなる被覆層８が形成されている。この被覆層８は、プレート７の周縁部に沿って環状に形成されており、この被覆層８の内縁部によって構成される開口部が読取口５となっている。なお、被覆層８は、読取口５がパスポート６０の表示面６１の大きさにほぼ一致するように形成することができる。
【００４７】
次に、情報読取装置１の電気的構成について説明する。図８に示すように、情報読取装置１は、主に、照明光源２１、結像部２７、撮像部２３等の光学系と、メモリ３５、制御回路４０等のマイクロコンピュータ（以下「マイコン」という）系と、図示しない電源部、電源スイッチ等の電源系とを備えている。
【００４８】
光学系は、投光光学系と、受光光学系とに分かれている。投光光学系を構成する照明光源２１は、照明光を照射可能な光源として機能するものであり、例えば、ＬＥＤなどによって構成されている。この照明光源２１は、ケース３の長手方向一方側に配置される第１光源２１ａ，２１ｂと、ケース３の長手方向他方側に配置される第２光源２１ｃ，２１ｄとを備えており、第１光源２１ａ，２１ｂ及び第２光源２１ｃ，２１ｄのそれぞれがＬＥＤなどの投光素子として構成され、上下方向に対して横向きに照明光を照射する機能を有している。
【００４９】
また、図２〜図７で示すように、投光光学系は、照明光源２１からの光を導く導光部材５０を備えている。この導光部材５０は、ケース３の内部において照明光源２１からの照明光が照射される位置に配置され、照明光源２１からの照明光が読取口５の開口領域γ（図３等参照）を通ってケース３の外部に照射されるように導く構成となっている。なお、導光部材５０の詳細は後述する。
【００５０】
図８で示すように、受光光学系は、撮像部２３、結像部２７、反射部材２９（図２、図３等）などによって構成されている。撮像部２３は、例えばＣＣＤ素子やＣＭＯＳ素子等の固体撮像素子（受光素子）が二次元的に配列された受光センサ（エリアセンサ）などによって撮像手段として構成されており、図３、図８等に示すように、結像部２７に面する側にケース外からの光を受光し得る受光面２３ａが配置されている。この撮像部２３は、反射部材２９で反射された光が結像部２７を通過して受光面２３ａに入り込もうとする入射光を受光し得るように基板に実装されている。そして、例えば、図８のように、パスポート６０（表示媒体）の表示面６１等が視野範囲内に配置されたとき（例えば、表示媒体における表示情報を表示する側の面が開口領域γ内においてプレート７に近接するように配置されたとき）、この表示面６１等に照射されて反射した反射光Ｌｒ（図８参照）を受光する構成となっている。また、撮像部２３は、受光面２３ａにおいて光を検出しうる領域（固体撮像素子が配置された領域）が「所定の受光領域」として設定されており、図３等では、撮像部２３における受光領域の範囲を符号Ｄ１にて概念的に示している。即ち、受光面２３ａにおいて範囲Ｄ１に入射する光が撮像部２３に検出されるようになっている。なお、図３等に示す例では、撮像部２３における受光領域の範囲は、例えば受光面２３ａにおいて光軸Ｌ１を中心とする上下方向所定範囲となっており、且つ光軸Ｌ１を中心とする左右方向（幅方向：図２参照）所定範囲となっている。なお、図３等に示す例では、受光面２３ａが前後方向（図２参照）とほぼ直交して配置されている。
【００５１】
結像部２７は、公知の結像レンズによって構成され、結像光学系として機能している。この結像部２７は、撮像部２３で撮像可能となる視野範囲を定めると共に、ケース３の外部から読取口５を通過して入り込んだ光（具体的には、当該入射光が反射部材２９で反射した光）を撮像部２３の受光領域に導く構成となっている。そして、結像部２７は、ケース３の外部において視野範囲内に表示情報が配置されたときに当該表示情報の像を撮像部２３の受光領域に結像させるように機能する。本構成では、照明光源２１から照射され、導光部材５０によってケース外に導かれた照明光を表示情報に当てながら当該表示情報を撮像し得るようになっており、結像部２７は、表示情報が視野範囲内（撮像エリア内）に配置されたときに、この表示情報からの反射光Ｌｒを集光し、撮像部２３の受光面２３ａに表示情報の像を結像させるように構成されている。なお、結像部２７としては、例えば、焦点距離が短く画角の広い広角レンズを好適に用いることができる。
【００５２】
マイコン系は、増幅回路３１、Ａ／Ｄ変換回路３４、メモリ３５、アドレス発生回路３６、同期信号発生回路３８、制御回路４０等によって構成されており、例えば上述した光学系によって撮像された表示情報等の画像信号を信号処理するように構成されている。具体的には、視野範囲内に配置された表示情報等が撮像部２３によって撮像されたときの撮像画像のデータをメモリ３５に記憶可能に構成されており、制御回路４０は、このような表示情報等の画像データを解析し、文字情報等であればＯＣＲ技術を用いて認識するように構成されている。また、制御回路４０は、視野範囲内に配置された情報コードが撮像部２３によって撮像された場合には、この情報コードのコード画像を解析することで光学的に読み取る情報コード読取手段として機能するように構成されている。すなわち、制御回路４０は、撮像部２３により撮像された情報コードおよび文字情報を光学的に読み取る光学的情報読取手段として機能する。
【００５３】
また、図８に示すように、制御回路４０には、操作部４２、スピーカ４４、発光部４６、通信インタフェース４８が接続されている。操作部４２は、ケース３の外面等に設けられる１または複数のキーを備えており、使用者のキー操作に応じて制御回路４０に対して操作信号を与える構成をなしており、制御回路４０は、操作部４２から操作信号を受けたとき、その操作信号に応じた動作を行うように構成されている。スピーカ４４は、公知のスピーカ等によって発音部として構成されており、制御回路４０からの動作信号に応じて、予め設定された音声やアラーム音等の各種通知音を発する構成をなしている。発光部４６は、例えばＬＥＤであって、読取側壁部３ａの四隅等に配置されて、制御回路４０からの信号に応じて点灯するように構成されている。通信インタフェース４８は、後述する上位端末１０１などの外部機器との間でのデータ通信を行うためのインタフェースとして構成されており、制御回路４０と協働して通信処理を行う構成をなしている。
【００５４】
次に、情報読取装置１の特徴的構成について詳述する。
本構成では、ケース３の内部に反射部材２９、結像部２７、撮像部２３、照明光源２１、導光部材５０が収容されている。以下では、これら反射部材２９、結像部２７、撮像部２３、照明光源２１、導光部材５０等についてより詳細に説明する。
【００５５】
図３〜図５等に示すように、本構成では、ケース３の上面部（上壁部）として、板状且つ略矩形状（略長方形状）のプレート７が配置されており、このプレート７が読取側壁部３ａに相当している。図２のように情報読取装置１を平面視したときのプレート７の長手方向中央部及び短手方向中央部には、略矩形状（略長方形状）の読取口５が形成されている。読取口５は、図２のように平面視したときに、当該読取口５の開口領域γ（図２に示す境界線Ｐ３の内側の領域であり、図３も参照）に反射部材２９の反射領域（反射面の領域）が全て収まるようなサイズ及び位置で形成されている。即ち、図２に示す幅方向において、読取口５の幅方向一端部５ａと幅方向他端部５ｂとの間に反射部材２９の幅方向一端部と他端部が配置され、図２に示す前後方向において、読取口５の前後方向一端部５ｃと前後方向他端部５ｄとの間に反射部材２９の前後方向一端部と他端部が配置されている。なお、読取口５の幅方向一端部５ａと幅方向他端部５ｂの縁部は、いずれも前後方向に直線状に延びており、読取口５の前後方向一端部５ｃと前後方向他端部５ｄはいずれも幅方向（左右方向）に直線状に延びている。
【００５６】
図３〜図５等に示すように、ケース３の底壁部３ｂは、ケース３の下面部として板状に構成されており、情報読取装置１が載置面Ｆに載置されるときに、当該底壁部３ｂの下面側が載置面Ｆに支持される構成となっている。この底壁部３ｂは、厚さ方向を上下方向とする構成で外面（下面）の大部分が略平坦面として構成されている。そして、箱状に構成されるケース３の底として機能している。なお、読取側壁部３ａ（上面部）と底壁部（下面部）との間には、ケース３内の収容空間（反射部材２９、結像部２７、撮像部２３などが収容される空間）の周囲を取り囲むように側壁部３ｃが設けられている。この側壁部３ｃは、幅方向両側に配置される一対の側壁（いずれも前後方向に延びる側壁）と、前後方向両側に配置される一対の側壁（いずれも幅方向に延びる側壁）とを備えており、これら四方の側壁が環状に連結して配置されている。このように環状に配置された側壁部３ｃ（周壁部）の上側を部分的に閉塞する構成（具体的には、側壁部３ｃの上端部によって構成される開口部４ｃを閉塞する構成）で読取側壁部３ａ（上面部）に相当するプレート７が配置され、側壁部３ｃの下側全体を閉塞する構成で底壁部３ｂ（下面部）が配置されている。
【００５７】
プレート７は、上ケース４ａの上端部に形成された開口部を閉塞する構成で配置され、ケース３の上面部を構成しており、ケース３内部に収容される反射部材２９、結像部２７、導光部材５０の上側を覆う構成で配置されている。そして、図２のように平面視したときには、プレート７の露出部分（図２で概念的に示す境界線Ｐ３の内側の領域である開口領域γ（図３）の部分）を介してケース内の反射部材２９、結像部２７、導光部材５０が視認されるようになっている。プレート７は、例えば透明且つ平坦な板材として構成され、その板面（上面７ａ及び下面７ｂ）と直交する方向が上下方向となるように略水平に配置されている。なお、プレート７は、透明部材の一例に相当し、被覆層８の内周部として構成される読取口５を閉塞するように機能する。つまり、読取口５は、光の出入りを許容する構成であるが、プレート７の閉塞によって水や埃等の侵入を許容しない構成となっている。
【００５８】
反射部材２９は、例えばミラーとして構成され、ケース３の内部に収容され、ケース３の外部から読取口５を介して入り込む光を反射させるように機能する。この反射部材２９は、反射面２９ａ（鏡面）が斜め上側且つ前後方向一方側（反射面２９ａに対し結像部２７側）を向く構成で配置されており、ケース３の上方側から読取口５を通って入り込んだ光を前後方向一方側に反射するように構成されている。より具体的には、反射面２９ａが平坦に構成され、この反射面２９ａが、上下方向及び前後方向と平行な仮想平面と直交するように配置されており、例えば上下方向と反射面２９ａとのなす角度が４５°となっており、上下方向と平行に入り込んだ光を水平に反射するように配置されている。
【００５９】
また、反射部材２９の反射面２９ａ（上方側からの光を反射可能な鏡面領域であり、上方側に露出する面）の上端部２９ｃは、上下方向においてプレート７寄りの位置に配置され、反射面２９ａの下端部２９ｂは、上下方向において底壁部３ｂ寄りに配置されている。また、反射部材２９の反射面２９ａは、下端部２９ｂの幅が最も狭く、上端部２９ｃの幅が最も広くなるように、上方となるにつれて幅が広くなる構成となっている。
【００６０】
結像部２７は、上述したように広角レンズとして機能する結像レンズによって構成され、図３、図５、図６等に示すようにプレート７から離れた位置に配置されている。この結像部２７は、ケース３の外部から読取口５を通過して入り込み且つ反射部材２９で反射した光を集光しつつ撮像部２３の受光面２３ａ（受光領域）に導く機能を有し、ケース３の内外において撮像部２３で撮像可能となる視野範囲を定める構成となっている。具体的には、図３に示すように、視野範囲として、当該結像部２７と反射部材２９との間に構成される第１視野範囲ＡＲ１と、当該第１視野範囲ＡＲ１に続くように反射部材２９から上方側に構成される第２視野範囲ＡＲ２とを定めている。つまり、この第１視野範囲ＡＲ１及び第２視野範囲ＡＲ２を撮像エリアとするように、視野範囲からの光を撮像部２３の受光領域に向けて集光し結像させている。なお、第１視野範囲ＡＲ１は、結像部２７によって集光されて直接撮像部２３に撮像される視野範囲であり、第２視野範囲ＡＲ２は、反射部材２９に映り込んだ画像が撮像部２３に撮像される視野範囲である。このように構成される結像部２７は、ケース３の外部に設定された第２視野範囲ＡＲ２内に表示情報が配置されたときに当該表示情報の像を撮像部２３の受光領域に結像させるように機能している。
【００６１】
図３に示す第１視野範囲ＡＲ１は、結像部２７と反射部材２９との間の空間において撮像部２３によって撮像される範囲であり、反射部材２９の反射面２９ａに近づくにつれて徐々に広くなるように設定されている。また、第１視野範囲ＡＲ１の中心となる光軸Ｌ１は、水平方向（具体的には、前後方向）となっており、反射面２９ａとのなす角度が４５°となっている。そして、図３のように、光軸Ｌ１を通り上下方向と平行な平面を切断面として情報読取装置１を切断した場合、当該切断面上において第１視野範囲ＡＲ１が上下に最も広がるようになっている。そして、図３に示す切断面（光軸Ｌ１を通り上下方向と平行な切断面）では、第１視野範囲ＡＲ１の下限の境界は、反射部材２９の反射面２９ａに近づくにつれて低位置（下位置）となり、第１視野範囲ＡＲ１の上限の境界は、反射部材２９の反射面２９ａに近づくにつれて高位置（上位置）となるように構成されている。そして、図３に示す切断面（図２に示すＡ−Ａ位置の切断面であり、情報読取装置１を左右方向中心位置において左右方向と直交する方向に切断した切断面）において、第１視野範囲ＡＲ１の下限の境界が反射部材２９の反射面２９ａに達した位置（その境界と反射面２９ａとが交わる位置）が第１視野範囲ＡＲ１の下端位置となっている。また、第１視野範囲ＡＲ１の上限の境界が反射部材２９の反射面２９ａに達した位置（その境界と反射面２９ａとが交わる位置）が第１視野範囲ＡＲ１の上端位置となっている。
【００６２】
図３のように、本構成では、反射部材２９の反射領域（反射面２９ａが露出した領域）が、少なくとも第１視野範囲ＡＲ１の下端に位置しており、第１視野範囲ＡＲ１の下端から上端まで続いている。つまり、反射部材２９は、図３のような切断面において第１視野範囲ＡＲ１の上下方向全領域を網羅するように反射面２９ａが配置されている。例えば、図３に示す切断面において、反射領域（反射面２９ａの領域）の上端部２９ｃは、第１視野範囲ＡＲ１の上端位置と同位置又は当該上端位置よりも上位置であり、反射領域（反射面２９ａの領域）の下端部２９ｂは、第１視野範囲ＡＲ１の下端位置と同位置又は当該下端位置よりも下位置となっている。より具体的には、撮像部２３の受光領域の全領域に反射面２９ａが映り込むように配置されている。つまり、第１視野範囲ＡＲ１の反射部材２９側の境界は、全て反射面２９ａ上の位置となっており、撮像部２３は、反射面２９ａの周囲に隣接する部分（反射面２９ａ以外の部分）を撮像せず、第２視野範囲ＡＲ２の全体を撮像し得るようになっている。
【００６３】
第２視野範囲ＡＲ２は、上述の第１視野範囲ＡＲ１に続くように反射部材２９にて折り返された視野範囲であり、この第２視野範囲ＡＲ２に存在する物体等が反射部材２９に映り、撮像部２３によって撮像されるようになっている。逆に、第２視野範囲ＡＲ２の外側は、第１視野範囲ＡＲ１を除き、撮像部２３に撮像されない。
【００６４】
本構成では、反射面２９ａが水平方向に対して例えば４５度の角度で傾斜した構成となっている。そして、反射部材２９に対し、前後方向一方側に結像部２７が配置されており、第１視野範囲ＡＲ１の光軸Ｌ１が前後に延びる構成となっている。従って、第２視野範囲ＡＲ２の中心となる光軸Ｌ２は上下方向に延びている。そして、第１視野範囲ＡＲ１が反射部材２９にて折り返された第２視野範囲ＡＲ２は、上方となるにつれて範囲が広くなるように設定されており、図３のような断面（光軸Ｌ１、Ｌ２を通る断面）では、上方となるにつれて第２視野範囲ＡＲ２が前後に広がるようになっている。
【００６５】
具体的には、光軸Ｌ２を中心として上方となるにつれて前後に範囲が広くなるように第２視野範囲ＡＲ２が設定されており、同様に、光軸Ｌ２を中心として上方となるにつれて左右に範囲が広くなるように第２視野範囲ＡＲ２が設定されている。なお、ケース外において第２視野範囲ＡＲ２を水平方向に切断した仮想面上での第２視野範囲ＡＲ２の境界形状は、例えば円形であってもよく、長方形、正方形等の矩形形状であってもよい。
【００６６】
そして、結像部２７は、第２視野範囲ＡＲ２から外れた位置に配置されている。具体的には、第２視野範囲ＡＲ２の前後方向一方側の境界Ｂ１よりも前後方向一方側に外れた位置に結像部２７が配置されている。このように結像部２７の一部が第２視野範囲ＡＲ２に入り込まないように構成されているため、結像部２７の一部が反射部材２９に映り込んで撮像部２３に撮像されてしまうことがなく、このような映り込みに起因する撮像エリアの縮小が抑えられている。また、図３のように、結像部２７のレンズ部分は、反射部材２９の反射面２９ａの領域（反射領域）の下端部２９ｂよりも上位置に配置され、上端部２９ｃよりも下位置に配置されている。更に、結像部２７の前後方向の一端部（反射部材２９側の端部）は、前後方向において、読取口５の前後方向他端部５ｄと光軸Ｌ２との間に配置されている。このように配置することで、結像部２７の映り込みを防ぎつつ、読取口５の下方側の領域を生かすことができる。
【００６７】
また、図３に示すように、第１視野範囲ＡＲ１の中心となる光軸Ｌ１及び第２視野範囲ＡＲ２の中心となる光軸Ｌ２を通る平面を切断面とした断面において、第２視野範囲ＡＲ２の両境界Ｂ１、Ｂ２が読取口５の内周部寄りの位置（例えば、端部５ｄ，５ｃの位置又は端部５ｄ，５ｃに近い位置）を通る構成となっている。なお、図３の例では、第２視野範囲ＡＲ２の前後方向一方側の境界Ｂ１と前後方向他方側の境界Ｂ２とがいずれも、読取口５の内周部（端部５ｄ，５ｃ）よりも僅かに内側を通るようになっているが、これら境界Ｂ１、Ｂ２がいずれも内周部（端部５ｄ，５ｃ）を通る構成となっていてもよい。
【００６８】
次に、照明光源２１について説明する。図２、図３、図５、図９に示すように、照明光源２１は、上下方向と直交する平面方向において開口領域γ（図２に示す境界線Ｐ３の内側領域）の外側の位置に配置されている。なお、境界線Ｐ３は、平面方向における開口領域γの境界を概念的に示すものであり、実際は、読取口５の内縁が開口領域γの境界となる。照明光源２１は、ケース３の長手方向一端寄り（幅方向一端寄り）に配置された第１光源２１ａ，２１ｂと、ケース３の長手方向他端寄り（幅方向他端寄り）に配置された第２光源２１ｃ，２１ｄとを有している。これら第１光源２１ａ，２１ｂ及び第２光源２１ｃ，２１ｄはいずれも、プレート７の板面に形成された被覆層８の下方に配置されており、図５、図７のように、第１光源２１ａ，２１ｂ及び第２光源２１ｃ，２１ｄのいずれも、この被覆層８の下位置に配置される基板の下面側に実装されている。
【００６９】
図３、図５、図７に示すように、第１光源２１ａ，２１ｂ及び第２光源２１ｃ，２１ｄはいずれも、上下方向において、プレート７よりも下方位置且つ後述する導光部材５０の上端位置付近に配置されており、図２のように、平面方向において開口領域γ（境界線Ｐ３の内側領域）から外側に離れた位置に配置されている。そして、第１光源２１ａ，２１ｂ及び第２光源２１ｃ，２１ｄのいずれも、上下方向と直交する横方向（水平方向）及び横方向に対して傾斜した斜め横方向に照明光が照射されるように開口領域γに近づく側に照明光を照射する構成となっている。
【００７０】
また、上下方向において照明光源２１と読取口５の間の位置には、少なくとも照明光源２１からの照明光の照射側において照明光源２１の位置から平面方向に沿って読取口５側（第２視野範囲ＡＲ２側）に延びる構成の遮光部が配置されている。そして、これら遮光部により、各照明光源２１から斜め上方側に向かおうとする照明光が遮られる構成となっている。これにより、各照明光源２１からの光の多くは、水平方向及び斜め下方向に照射されることになる。このように構成されているため、各照明光源２１からの光が直接使用者の目に入り込みにくく、且つ各照明光源２１からの光を後述する導光部材５０に効率的に当てやすくなる。
【００７１】
そして、これらの照明光源２１による照明光の照射先には、導光部材５０が配置されている。図９で例示されるように、導光部材５０は、読取口５の開口領域γ（図９に示す境界線Ｐ３の内側領域）において、視野範囲の中心部Ｐ１を通る照明光の照度よりも、視野範囲内の周縁部寄りに定められた所定の高照度領域βを通る照明光の照度のほうが大きくなるように照明光を導く構成となっている。なお、図３、図９の例では、プレート７の上面の位置において読取口５の内縁部によって囲まれる領域（プレート７の上面において読取口５から露出する領域）が開口領域γに相当している。そして、図９の例では、この開口領域γにおいて視野範囲の周縁部に沿った環状領域が高照度領域βとなっており、この高照度領域βをハッチングで概念的に示している。
【００７２】
導光部材５０は、照明光源２１からの照明光を反射する複数の反射部５１，５２，５３，５４を備えている。これら反射部５１，５２，５３，５４はいずれも、第２視野範囲ＡＲ２側の面が、照明光源２１からの照明光を反射する反射面として構成されている。そして、各反射部５１，５２，５３，５４の各反射面はいずれも、上下方向と直交する平面方向において、読取口５の開口領域γにおける視野範囲の中心部Ｐ１の位置（即ち、プレート７と光軸Ｌ２が交わる位置）に近づくにつれて下位置となる傾斜面として構成されている。なお、反射部５１，５２，５３，５４は、例えば、遮光性の部材によって構成されており、反射部５１，５２，５３，５４のいずれも、第２視野範囲ＡＲ２側の外面（即ち照明光を反射する反射面）が所定色（例えば、白色等の明色）であり、いずれも第２視野範囲ＡＲ２側の外面に入射する光を拡散反射させる構成となっている。そして、導光部材５０全体が、視野範囲の外側において、第２視野範囲ＡＲ２に沿って配置されており、下方位置となるにつれて孔の大きさ（開口領域）が狭くなるすり鉢状の構造となっている。このように、導光部材５０は、第２視野範囲ＡＲ２の外側において第２視野範囲ＡＲ２を囲む構成で環状に配置されており、且つ上端部５０ａが読取口５の内縁部に近接して配置されている。導光部材５０の上端部５０ａは、第２視野範囲ＡＲ２を囲む環状の端部構造となっており、このように環状に構成される上端部５０ａのいずれも、読取口５の内縁部の直下近傍に位置し、上端部５０ａのいずれの位置も、開口領域γの中心部よりも周縁部のほうが近くなっている。また、上端部５０ａのいずれの位置も、開口領域γでの視野範囲αの中心部Ｐ１よりも周縁部（境界線Ｐ２付近）のほうが近くなっている。
【００７３】
なお、図２では、一方の第１反射部５４の領域を二点鎖線Ｊ１１で概念的に示し、他方の第１反射部５３の領域を二点鎖線Ｊ１２で概念的に示している。また、一方の第２反射部５１の領域を二点鎖線Ｊ２１で示し、他方の第２反射部５２の領域を二点鎖線Ｊ２２で示している。また、図９では、第１光源２１ａからの照明光の照射エリアを太線の破線で概念的に示しており、第１光源２１ｂからの照明光の照射エリアを太線の実線で概念的に示しており、第２光源２１ｃからの照明光の照射エリアを太線の二点鎖線で概念的に示しており、第２光源２１ｄからの照明光の照射エリアを太線の一点鎖線で概念的に示している。
【００７４】
このように、第１光源２１ａ，２１ｂ及び第２光源２１ｃ，２１ｄから照射された照明光は、すり鉢状に構成された導光部材５０の壁面（第１反射部５３，５４及び第２反射部５１，５２の第２視野範囲ＡＲ２側の外面）に照射されるため、図９のように平面視したときに、第１反射部５３，５４及び第２反射部５１，５２が全体的に明るく光ることになる。更に、図３、図４、図６のように、第１反射部５３，５４及び第２反射部５１，５２はいずれも、平面方向において視野範囲ＡＲ２の中心（光軸Ｌ２）側が下位置となる構成であり、光軸Ｌ２から遠い側が上位置となる構成となっている。このため、読取口５の開口領域γ（プレート７の上面において読取口５から露出する領域）において、この領域γ内の視野範囲α（図９において境界線Ｐ２に囲まれる領域）では、周縁部付近（境界線Ｐ２付近）に近い導光部材５０の上端部５０ａ付近（第１反射部５３，５４及び第２反射部５１，５２の上端部付近）からの反射光がその周縁部付近（境界線Ｐ２付近）に届きやすくなる。よって、開口領域γ内の視野範囲α（図９において境界線Ｐ２に囲まれる領域）では、当該視野範囲αの周縁部付近（境界線Ｐ２付近）の照度が当該視野範囲αの中心部Ｐ１付近の照度と比較して相対的に高くなる。一方、開口領域γにおける視野範囲αの中心部Ｐ１は、周縁部付近（境界線Ｐ２付近）と比較して第１反射部５３，５４及び第２反射部５１，５２からの距離が遠いため、第１反射部５３，５４及び第２反射部５１，５２で反射した照明光は、開口領域γにおいて視野範囲αの周縁部よりも中心部Ｐ１に届きにくくなる。よって、開口領域γ内の視野範囲α（図９において境界線Ｐ２に囲まれる領域）では、中心部Ｐ１付近の照度が周縁部付近（境界線Ｐ２付近）の照度と比較して相対的に低くなる。開口領域γでは、視野範囲αの中心部Ｐ１付近の照度よりも照度が高くなるように高照度領域βが構成されるため、開口領域γにおいてプレート７の上面に密着するように物体を配置した場合、この物体では、高照度領域βの位置の照度が相対的に大きく、中心部Ｐ１付近の照度が相対的に小さくなり、高照度領域βが中心部Ｐ１付近よりも相対的に明るくなる。
【００７５】
次に、本実施形態に係る情報読取装置１を撮像画像保存装置として利用する場合に制御回路４０にてなされる画像保存処理について、図１１に示すフローチャートを参照して説明する。
以下の例では、宿泊施設のカウンタ上に情報読取装置１がセルフチェックイン端末の一部として配置されており、チェックイン時に宿泊客等の利用者が自らパスポート６０を情報読取装置１にかざす場合について説明する。
【００７６】
宿泊施設の従業員による操作等により情報読取装置１にて画像保存処理が開始されると、図１１のステップＳ１０１に示す撮像処理がなされ、撮像部２３により読取口５を介した画像が撮像される。次に、ステップＳ１０３に示す判定処理にて撮像画像に上記特定の文字フォーマットを利用した文字（以下、単に特定文字ともいう）が含まれているか否かについて判定され、当該特定文字が含まれるまでＮｏとの判定がなされて、上記ステップＳ１０１からの処理が繰り返される。なお、上記特定の文字フォーマットに関する情報は、判定用情報として予めメモリ３５に記憶されているものとする。
【００７７】
そして、宿泊客等の利用者によりパスポート６０の表示面６１が読取面となる読取口５にかざされることで、旅券情報６２の少なくとも一部が撮像されると、撮像画像に特定文字が含まれているとして、上記ステップＳ１０３にてＹｅｓと判定される。この場合には、ステップＳ１０５に示す特定文字範囲設定処理がなされ、撮像画像において上記特定文字の全体が占める所定の範囲が特定文字範囲として設定される。
【００７８】
次に、ステップＳ１０７に示す判定処理にて、上述のように設定された特定文字範囲が撮像画像における特定の領域内に含まれているか否かについて判定される。ここで、当該特定の領域は、表示面６１の中央と読取口５の中央とがほぼ一致（表示面６１の一縁と読取口５の一縁とがほぼ一致）するような適切なかざし状態にて読取口５に接触している表示面６１の全体が撮像された撮像画像において、旅券情報６２の全体が占める特定文字範囲（図１２の符号６３参照）に応じて設定されている。例えば、図１２に例示する撮像画像Ｐａのように、画素数が１２８０×９６０のイメージセンサで表示面６１の全体を撮像したとき、上記特定の領域Ｓｍは、特定文字の向きを考慮して特定文字範囲６３を含めるように、縦１７５画素、横１２１５画素で構成される領域として設定される。
【００７９】
そして、図１３に例示するように、表示面６１が読取口５に適切にかざされていることで、特定文字範囲（６３）の全てが撮像画像における特定の領域Ｓｍ内に含まれていると、撮像画像に特定文字の全体が含まれているとして、ステップＳ１０７にてＹｅｓと判定される。
【００８０】
この場合には、ステップＳ１０９に示す判定処理にて、上述のように設定された特定文字範囲の大きさが所定値以上であるか否かについて判定される。ここで、当該所定値は、読取口５に接触するようにかざされた表示面６１の撮像画像において、旅券情報６２の全体が占める特定文字範囲６３の大きさに応じて設定される。例えば、大きさを比較するために幅寸法を利用する場合、上記所定値は、読取口５に接触するようにかざされた表示面６１の撮像画像における特定文字範囲６３の幅に対して、８５％程度に設定されている。
【００８１】
そして、図１３に例示するように、表示面６１が読取口５に接触した状態で撮像されていることで特定文字範囲の大きさが所定値以上であると判定されると（Ｓ１０９でＹｅｓ）、ステップＳ１１１に示す保存処理がなされ、上記ステップＳ１０１にて撮像された撮像画像がメモリ３５に保存（記憶）される。すなわち、撮像画像に表示面６１の全体が含まれているとして、その撮像画像が保存手段として機能するメモリ３５に保存されて、本画像保存処理が終了する。なお、上記ステップＳ１０７，Ｓ１０９を実行する制御回路４０は、「判定手段」の一例に相当し得る。
【００８２】
一方、図１４（Ａ）に例示するように、表示面６１が読取口５からずれていることから、図１５（Ａ）に例示するような撮像画像Ｐｂが撮像されたため、特定文字範囲の全てが撮像画像における特定の領域Ｓｍ内に含まれていない場合には、撮像画像に特定文字の全体が含まれていないとして、ステップＳ１０７にてＮｏと判定される。また、特定文字範囲の全てが撮像画像における特定の領域Ｓｍ内に含まれていても、図１４（Ｂ）に例示するように、表示面６１が読取口５から離れていることから、図１５（Ｂ）に例示するような撮像画像Ｐｃが撮像されると、特定文字範囲の大きさ（幅Ｗ）が所定値未満であるとして、ステップＳ１０９にてＮｏと判定される。
【００８３】
このような場合には、ステップＳ１１３に示す報知処理がなされ、読取口５に対する表示面６１の移動を促す情報を報知するための処理がなされる。この報知処理では、発光部４６による発光状態やスピーカ４４による発音状態等に応じて、読取口５に対する表示面６１の移動を促す情報が報知される。具体的には、例えば、撮像画像における特定文字範囲の位置から表示面６１を移動させるべき方向を求めることで、発光部４６を利用した報知では、読取側壁部３ａの四隅に配置される発光部４６のうち表示面６１を移動させるべき方向に位置する発光部４６のみを点滅等させて報知することができる。また、例えば、スピーカ４４を利用した報知では、「パスポートを翳し直して下さい」等の音声を発音させて報知することができる。なお、スピーカ４４を利用した報知では、表示面６１を移動させるべき方向を含めて報知するようにしてもよい。このような報知がなされた後、再び上記ステップＳ１０１からの処理がなされ、かざし直されたパスポート６０の表示面６１の全体が適切に撮像されることで（Ｓ１０７、Ｓ１０９でＹｅｓ）、その撮像画像がメモリ３５に保存されて、本画像保存処理が終了する。なお、発光部４６及びスピーカ４４の少なくとも一方は、「第１報知手段」の一例に相当し得る。
【００８４】
以上説明したように、本実施形態に係る情報読取装置１では、撮像部２３により撮像された撮像画像に特定の文字フォーマットを利用した旅券情報６２の全体が含まれているか否かに基づいて、当該撮像画像に表示面６１の全体が含まれているか否かについて判定される。そして、撮像画像に表示面６１の全体が含まれていると判定された撮像画像がメモリ３５に保存される。
【００８５】
これにより、撮像画像に表示面６１の全体が含まれていない場合にはその撮像画像が保存されないので、撮像画像に表示面６１の全体が含まれているか否かについて従業員等が確認作業を行う必要も無い。特に、特定の文字フォーマットを利用するので、目的のパスポート６０の表示面６１を撮像しているか否かを容易に判定でき、その判定精度を高めることができる。したがって、特定の文字フォーマットを利用した旅券情報６２が表示される表示面６１の撮像画像に対して確認作業を要することなく自動保存でき、撮像画像の保存に関する作業の自動化を図り易くすることができる。
【００８６】
また、撮像部２３により撮像された撮像画像に旅券情報６２の全体が含まれておらず旅券情報６２の一部が含まれていることから、撮像画像に表示面６１の全体が含まれていないと判定されると（Ｓ１０７でＮｏ）、読取口５に対する表示面６１の移動を促す情報が第１報知手段として機能する発光部４６やスピーカ４４等により報知される。また、表示面６１が読取口５から離れていることから、撮像される特定文字範囲の大きさが所定値未満であると判定されても（Ｓ１０９でＮｏ）、同様に発光部４６やスピーカ４４等により報知される。これにより、報知を受けた利用者が、読取口５に対して表示面６１を正しくかざしていないことを知得して表示面６１を正しい位置にかざすことで、撮像画像に表示面６１の全体が含まれていない状態を迅速に解消することができる。
【００８７】
さらに、第１報知手段として、発光部４６による発光状態及びスピーカ４４による発音状態の少なくとも一方を利用して視覚的、聴覚的に報知するため、報知を受けた利用者は、読取口５に対して表示面６１を正しくかざしていないことを容易に知得することができる。
【００８８】
特に、旅券情報６２の全体が占める特定文字範囲６３が撮像画像のうちの特定の領域Ｓｍ内に含まれる場合に、当該撮像画像に表示面６１の全体が含まれていると判定される。読取口５に対して表示面６１を正しくかざしたときに撮像された撮像画像において旅券情報６２の全体が占める特定文字範囲６３の位置に応じて上記特定の領域Ｓｍを予め設定することで、旅券情報６２に関して判定基準となる領域が明確になり、上記判定精度を向上させることができる。
【００８９】
さらに、撮像部２３により撮像された撮像画像において、旅券情報６２の全体が占める特定文字範囲６３が特定の領域Ｓｍ内に含まれ、且つ、当該特定文字範囲６３が占める画像領域の大きさが上記所定値以上となる場合に（Ｓ１０９でＹｅｓ）、撮像画像に表示面６１の全体が含まれているとして当該撮像画像が保存される。図１５（Ｂ）に例示するように、読取口５に対して表示面６１を近づけている途中に撮像された撮像画像では、特定文字範囲６３が占める画像領域の大きさ（幅Ｗ）は、読取口５に対して表示面６１を接触させた状態で撮像された撮像画像での大きさよりも小さくなる。このため、さらに、特定文字範囲６３が占める画像領域の大きさが所定値以上となる判定条件を追加することで、特定文字範囲６３が特定の領域Ｓｍ内に含まれている撮像状態であっても、読取口５に対して表示面６１を近づけている途中に撮像された撮像画像が保存されることを抑制することができる。
【００９０】
そして、制御回路４０は、撮像部２３により撮像された情報コードおよび文字情報を光学的に読み取る光学的情報読取手段としても機能するため、本実施形態に係る情報読取装置１を、撮像画像保存装置だけでなく情報コードや文字情報を読み取ることができる光学的情報読取装置として利用することができる。
【００９１】
なお、本実施形態では、図１６に例示するようにパスポート６０の表示面６１が逆向きにかざされる場合でも、特定文字の向きを考慮することで、特定文字範囲６３を含めるように上記特定の領域Ｓｍを設定することができる。
【００９２】
また、メモリ３５に保存される撮像画像は、通信インタフェース４８を介して外部機器に送信されてもよいし、別途設けられるＵＳＢポートやＳＤカード、メモリカード等の外部記憶装置を接続可能なポートを利用して外部記憶装置に保存されてもよい。
【００９３】
［第２実施形態］
次に、本発明の第２実施形態に係る情報読取装置について、図１７を用いて説明する。
本第２実施形態では、撮像画像に表示面６１の全体が含まれていないと判定された後、所定時間経過後に再度撮像画像に表示面全体が含まれていないと判定されると報知処理がなされる点が主に上記第１実施形態と異なる。このため、第１実施形態と実質的に同様の構成部分には同一符号を付して説明を省略する。
【００９４】
上記第１実施形態における画像保存処理では、撮像画像に特定文字が含まれている一方で表示面６１の全体が含まれていない場合には、その撮像画像が保存されずに読取口５に対する表示面６１の移動を促す情報が報知される。しかしながら、例えば、読取口５に対して表示面６１をゆっくりかざしていると、かざしている途中であっても読取口５に対する表示面６１の移動を促す情報が不要に報知されてしまう可能性が有る。
【００９５】
そこで、本実施形態における画像保存処理では、撮像画像に特定文字が含まれている状態で表示面６１の全体が含まれていないと判定された後、所定時間経過後に再度撮像画像に表示面６１の全体が含まれていないと判定される場合に、上記ステップＳ１１３に示す報知処理を行う。
以下、本実施形態において、情報読取装置１の制御回路４０にて行われる画像保存処理について、図１７に示すフローチャートを参照して説明する。
【００９６】
上記第１実施形態と同様に画像保存処理が開始され、図１７に示すフローチャートのように、旅券情報６２の少なくとも一部が撮像されており（Ｓ１０３でＹｅｓ）、撮像画像に特定文字の全体が含まれていない場合（Ｓ１０７でＮｏ）又は特定文字範囲の大きさが所定値未満である場合（Ｓ１０９でＮｏ）には、ステップＳ１１５に示す判定処理にて、通知フラグがＯＮに設定されているか否かについて判定される。ここで、通知フラグは、上記報知処理を行う場合にＯＮに設定されるフラグであり、初期設定として画像保存処理の開始時にはＯＦＦに設定されている。このため、通知フラグがＯＦＦに設定されていることからステップＳ１１５にてＮｏと判定されると、ステップＳ１１７にて通知フラグがＯＮに設定される。
【００９７】
続いて、ステップＳ１１９の判定処理にて、通知フラグがＯＮに設定されてからの経過時間Ｔが所定時間Ｔｏ（例えば数秒）を経過しているか否かについて判定され、経過時間Ｔが所定時間Ｔｏを経過するまでＮｏとの判定が繰り返される。その後、通知フラグがＯＮに設定されてからの経過時間Ｔが所定時間Ｔｏを経過すると（Ｓ１１９でＹｅｓ）、再度上記ステップＳ１０１からの処理がなされる。
【００９８】
そして、所定時間Ｔｏ経過後でも、撮像画像に特定文字の全体が含まれていない場合（Ｓ１０７でＮｏ）又は特定文字範囲の大きさが所定値未満である場合（Ｓ１０９でＮｏ）には、ステップＳ１１５にてＹｅｓと判定されて、上記ステップＳ１１３に示す報知処理がなされる。
【００９９】
このように、本実施形態では、撮像部２３により撮像された撮像画像に旅券情報６２の全体が含まれておらず当該旅券情報６２の一部が含まれていることから、撮像画像に表示面６１の全体が含まれていないと判定された後（Ｓ１０７でＮｏ）、所定時間経過後に再度撮像画像に表示面６１の全体が含まれていないと判定されると（Ｓ１０７でＮｏ）、読取口５に対する表示面６１の移動を促す情報が報知される。また、表示面６１が読取口５から離れていることから、撮像される特定文字範囲の大きさが所定値未満であると判定された後（Ｓ１０９でＮｏ）、所定時間経過後に再度撮像された撮像画像において特定文字範囲の大きさが所定値未満であると判定されても（Ｓ１０９でＮｏ）、同様に報知される。これにより、例えば、撮像画像に旅券情報６２の一部のみが含まれていても上記所定時間Ｔｏが経過するまで報知がなされないため、読取口５に対して表示面６１をかざしている途中に所定の情報の一部のみが撮像されるような場合にまで報知がなされることもないので、不要な報知を抑制することができる。
【０１００】
なお、本実施形態の変形例として、撮像画像に表示面６１の全体が含まれていないと判定される状態又は特定文字範囲の大きさが所定値未満であると判定される状態が所定時間継続する場合に、読取口５に対する表示面６１の移動を促す情報を報知してもよい。このようにしても、例えば、撮像画像に旅券情報６２の一部のみが含まれていてもその状態が上記所定時間継続するまで上記報知がなされないため、読取口５に対して表示面６１をかざしている途中に旅券情報６２の一部のみが撮像されるような場合にまで報知がなされることもないので、不要な報知を抑制することができる。
【０１０１】
なお、所定時間経過後に再度撮像画像に表示面全体が含まれていないと判定されると報知処理がなされる本実施形態の特徴的構成は、他の実施形態にも適用することができる。
【０１０２】
［第３実施形態］
次に、本発明の第３実施形態に係る情報読取装置について、図１８〜図２０を用いて説明する。
本第３実施形態では、抽出された撮像画像の一部に所定の情報の全体が含まれている場合に、撮像画像に表示面全体が含まれていると判定する点が主に上記第１実施形態と異なる。このため、第１実施形態と実質的に同様の構成部分には同一符号を付して説明を省略する。
【０１０３】
本実施形態における画像保存処理では、判定処理の迅速化を図るため、撮像部２３にて撮像可能な撮像領域よりも狭い上記特定の領域Ｓｍに相当する撮像領域をまず取り込むことで、図１９に例示するように、撮像画像の一部を上記特定の領域Ｓｍが含まれるように抽出し、この抽出された撮像画像の一部に旅券情報６２の全体が含まれているか否かについて判定する。
【０１０４】
以下、本実施形態において、情報読取装置１の制御回路４０にて行われる画像保存処理について、図１８に示すフローチャートを参照して説明する。
上記第１実施形態と同様に画像保存処理が開始されると、まず、図１８のステップＳ１０１ａに示す処理にて、上記特定の領域Ｓｍに相当する撮像領域が撮像画像の一部として取り込まれる。なお、この処理では、図１６に例示するように逆向きにかざされた場合での特定の領域Ｓｍに相当する撮像領域も取り込むことができる。また、上記特定の領域Ｓｍに相当する撮像領域を撮像画像の一部として抽出する制御回路４０は、「第１抽出手段」の一例に相当し得る。
【０１０５】
そして、この取り込まれた撮像画像の一部に特定文字の少なくとも一部が含まれていると（Ｓ１０３でＹｅｓ）、この撮像画像の一部において上記特定文字の全体が占める所定の範囲が特定文字範囲として設定される（Ｓ１０５）。そして、図１９に例示するように、特定文字範囲の全てが撮像画像における特定の領域Ｓｍ内に含まれており（Ｓ１０７でＹｅｓ）、且つ、特定文字範囲の大きさが所定値以上であると（Ｓ１０９でＹｅｓ）、撮像部２３を利用して画像全体が取り込まれ（Ｓ１２１）、この取り込まれた画像全体がメモリ３５に保存されて、本画像保存処理が終了する。
【０１０６】
一方、取り込まれた撮像画像の一部に特定文字の少なくとも一部が含まれているものの（Ｓ１０３でＹｅｓ）、図２０に例示するように特定文字範囲の全てが撮像画像における特定の領域Ｓｍ内に含まれていない場合や（Ｓ１０７でＮｏ）、特定文字範囲の大きさが所定値未満である場合には（Ｓ１０９でＮｏ）、読取口５に対する表示面６１の移動を促す情報が報知される（Ｓ１１３）。
【０１０７】
このように、本実施形態では、撮像部２３により撮像された撮像画像の一部が上記特定の領域Ｓｍを含むように抽出され、この抽出された撮像画像の一部に旅券情報６２の全体が含まれている場合に、撮像画像に表示面６１の全体が含まれていると判定される。これにより、撮像画像から上述のように抽出した一部を判定用の画像領域として限定することができ、撮像画像の全てについて所定の情報の全体が含まれているか否かを判定する場合と比較して、判定処理の迅速化を図ることができる。より具体的には、例えば、画像全体を取り込む時間（６０ｆｐｓで１６ｍｓ）よりも、一部を取り込む時間（全体の約１／５で３．２ｍｓ）が短くなり、検出失敗時に行う上記報知までの時間を短縮することができる。
【０１０８】
特に、抽出された撮像画像の一部に旅券情報６２の全体が含まれ、且つ、当該旅券情報６２の全体が占める画像領域の大きさが所定値以上となる場合に、当該撮像画像に表示面６１の全体が含まれていると判定される。これにより、上記第１実施形態と同様に、読取口５に対して表示面６１を近づけている途中に撮像された撮像画像が保存されることを抑制することができる。
【０１０９】
なお、抽出された撮像画像の一部を判定用の画像領域とする本実施形態の特徴的構成は、他の実施形態にも適用することができる。
【０１１０】
［第４実施形態］
次に、本発明の第４実施形態に係る情報読取装置について、図２１〜図２３を用いて説明する。
本第４実施形態では、差込口に設けられるマーカを考慮して撮像画像に表示面全体が含まれているか否かについて判定する点が主に上記第１実施形態と異なる。このため、第１実施形態と実質的に同様の構成部分には同一符号を付して説明を省略する。
【０１１１】
図２１に例示するように、本実施形態に係る情報読取装置１ａは、上述した情報読取装置１に対して、読取口５の近傍にパスポート６０が差し込まれる差込口７０を備えるように構成されている。この差込口７０は、下方に位置する裏面（以下、対向面７１ともいう）が撮像部２３により撮像可能に読取口５に対向しており、この対向面７１は、撮像画像に表示面６１の全体が含まれるように表示面６１が読取口５にかざされるとき読取口５との間にパスポート６０が介在するように位置する。
【０１１２】
対向面７１には、２つのマーカ７２ａ，７２ｂが互いに離れるように表示されている。このため、パスポート６０が差込口７０に差し込まれていない状態では、図２２に例示するように、対向面７１と２つのマーカ７２ａ，７２ｂとが撮像されることとなる。なお、マーカ７２ａ，７２ｂは、「第１の識別表示」の一例に相当し得るもので、撮像画像から認識しやすくするため、例えば、図２２に例示するように、ＱＲコードの位置検出パターンと同様に、暗、明、暗、明、暗の順番でその連続比率が１：１：３：１：１となるように構成することができる。
【０１１３】
そして、制御回路４０にて行われる画像保存処理では、図２３のステップＳ１０１に示す撮像処理がなされて読取口５を介した画像が撮像された後、ステップＳ２０１に示す判定処理にてその撮像画像に全てのマーカ７２ａ，７２ｂが含まれているか否かについて判定される。ここで、パスポート６０が差込口７０に差し込まれていないことから、撮像画像にマーカ７２ａ，７２ｂの双方が含まれている場合には、ステップＳ２０１にてＹｅｓと判定されて、上記ステップＳ１０１からの処理が繰り返される。
【０１１４】
一方、パスポート６０が差込口７０に差し込まれている途中であることから、例えば、図２４に例示するように、このパスポート６０によりマーカ７２ａが隠されてマーカ７２ｂが撮像画像に含まれていると、ステップＳ２０１にてＮｏ、ステップＳ２０３にてＹｅｓと判定される。この場合には、ステップＳ２０５に示す報知処理がなされ、読取口５に対する表示面６１の移動を促す情報を報知するための処理がなされる。この報知処理では、上記ステップＳ１１３の報知処理と同様に、発光部４６による発光状態やスピーカ４４による発音状態等に応じて、読取口５に対する表示面６１の移動を促す情報が報知される。なお、発光部４６及びスピーカ４４の少なくとも一方は、「第２報知手段」の一例に相当し得る。
【０１１５】
そして、パスポート６０が差込口７０に差し込まれることで、このパスポート６０によりマーカ７２ａおよびマーカ７２ｂの双方が隠されると、ステップＳ２０３にてＮｏと判定されて、上記第１実施形態と同様にステップＳ１０３からの処理がなされる。
【０１１６】
このように、本実施形態では、撮像画像に表示面６１の全体が含まれるように表示面６１が読取口５にかざされるとき読取口５との間にパスポート６０が介在するように位置する対向面７１が設けられ、この対向面７１には、第１の識別表示としてマーカ７２ａ，７２ｂが表示される。そして、撮像部２３により撮像された撮像画像においてマーカ７２ａ，７２ｂが含まれている場合に、当該撮像画像に表示面６１の全体が含まれていないと判定される。これにより、撮像画像に表示面６１の全体が含まれるように表示面６１が読取口５にかざされているとマーカ７２ａ，７２ｂが撮像されなくなるため、マーカ７２ａ，７２ｂの撮像の有無を判定条件の一部とすることができ、上記判定精度を向上させることができる。
【０１１７】
特に、対向面７１は、表示面６１を読取口５にかざす際にパスポート６０を差し込む差込口７０の一部を形成する。これにより、パスポート６０を差込口７０に差し込むように表示面６１を読取口５にかざした場合にはパスポート６０により対向面７１が隠されてマーカ７２ａ，７２ｂが撮像されなくなるため、上記判定精度をさらに向上させることができる。
【０１１８】
また、対向面７１には、第１の識別表示として２つのマーカ７２ａ，７２ｂが互いに離れるように表示されており、撮像部２３により撮像された撮像画像において２つのマーカ７２ａ，７２ｂの少なくとも一部が含まれている場合に、当該撮像画像に表示面６１の全体が含まれていないと判定される。このように対向面７１に表示される２つのマーカ７２ａ，７２ｂの撮像の有無を判定条件の一部とすることで、読取口５に対して表示面６１をかざしている途中に２つのマーカ７２ａ，７２ｂの一部が撮像されなくなる場合でも当該撮像画像に表示面６１の全体が含まれると判定されることもないので、上記判定精度をより向上させることができる。
【０１１９】
さらに、撮像部２３により撮像された撮像画像に２つのマーカ７２ａ，７２ｂの少なくとも一部が含まれていることから、表示面６１の全体が含まれていないと判定されると（Ｓ２０３でＹｅｓ）、読取口５に対する表示面６１の移動を促す情報が報知される（Ｓ２０５）。このようにしても、報知を受けた利用者が、読取口５に対して表示面６１を正しくかざしていないことを知得して表示面６１を正しい位置にかざすことで、撮像画像に表示面６１の全体が含まれていない状態を迅速に解消することができる。
【０１２０】
また、第２報知手段として、発光部４６による発光状態及びスピーカ４４による発音状態の少なくとも一方を利用して視覚的、聴覚的に報知するため、報知を受けた利用者は、読取口５に対して表示面６１を正しくかざしていないことを容易に知得することができる。
【０１２１】
図２５は、第４実施形態の第１変形例において情報読取装置にて行われる画像保存処理の流れを例示するフローチャートである。
本実施形態の第１変形例として、上記第２実施形態と同様に、撮像部２３により撮像された撮像画像に２つのマーカ７２ａ，７２ｂの少なくとも一部が含まれていることから、表示面６１の全体が含まれていないと判定された後、所定時間経過後に再度表示面６１の全体が含まれていないと判定されると、読取口５に対する表示面６１の移動を促す情報が報知されてもよい。
【０１２２】
具体的には、図２５に示すフローチャートのように、全てのマーカ７２ａ，７２ｂが撮像されておらず（Ｓ２０１でＮｏ）、マーカ７２ａおよびマーカ７２ｂの少なくとも一部が隠されて残部が撮像画像に含まれていると（Ｓ２０３でＹｅｓ）、ステップＳ２０７に示す判定処理にて、通知フラグがＯＮに設定されているか否かについて判定される。初期設定として画像保存処理の開始時にはＯＦＦに設定されていることからステップＳ２０７にてＮｏと判定されると、ステップＳ２０９にて通知フラグがＯＮに設定される。続いて、ステップＳ２１１の判定処理にて、通知フラグがＯＮに設定されてからの経過時間Ｔが所定時間Ｔｏを経過しているか否かについて判定され、経過時間Ｔが所定時間Ｔｏを経過するまでＮｏとの判定が繰り返される。その後、通知フラグがＯＮに設定されてからの経過時間Ｔが所定時間Ｔｏを経過すると（Ｓ２１１でＹｅｓ）、再度上記ステップＳ１０１からの処理がなされる。そして、所定時間Ｔｏ経過後でも、マーカ７２ａおよびマーカ７２ｂの少なくとも一部が隠されて残部が撮像画像に含まれていると（Ｓ２０３でＹｅｓ）、通知フラグがＯＮに設定されているためにステップＳ２０７にてＹｅｓと判定されて、上記ステップＳ２０５に示す報知処理がなされる。
【０１２３】
これにより、撮像画像に２つのマーカ７２ａ，７２ｂの一部が含まれていても上記所定時間が経過するまで上記報知がなされないため、読取口５に対して表示面６１をかざしている途中に２つのマーカ７２ａ，７２ｂの一部が撮像されるような場合にまで報知がなされることもないので、不要な報知を抑制することができる。
【０１２４】
図２６は、第４実施形態の第２変形例において情報読取装置にて行われる画像保存処理の流れを例示するフローチャートである。
本実施形態の第２変形例として、上記第１実施形態と異なり、特定の文字フォーマットを利用した旅券情報６２を利用することなく、対向面７１に表示される第１の識別表示を利用して撮像画像に表示面６１の全体が含まれているか否かについて判定してもよい。
【０１２５】
具体的には、図２６に示すフローチャートのように、ステップＳ１０１に示す撮像処理がなされて読取口５を介した画像が撮像された後、その撮像画像に全てのマーカ７２ａ，７２ｂが含まれていないことからステップＳ２０１にてＮｏと判定され、マーカ７２ａおよびマーカ７２ｂの双方が隠されていることから、ステップＳ２０３にてＮｏと判定されると、上記ステップＳ１０１にて撮像された撮像画像がメモリ３５に保存（記憶）される（Ｓ１１１）。一方、撮像画像に全てのマーカ７２ａ，７２ｂが含まれておらず（Ｓ２０１でＮｏ）、マーカ７２ａおよびマーカ７２ｂの少なくとも一部が隠されて残部が撮像画像に含まれていると（Ｓ２０３でＹｅｓ）、読取口５に対する表示面６１の移動を促す情報を報知するための処理がなされる（Ｓ２０５）。
【０１２６】
このようしても、撮像画像に表示面６１の全体が含まれていない場合にはその撮像画像が保存されないので、撮像画像に表示面６１の全体が含まれているか否かについて従業員等が確認作業を行う必要も無い。特に、撮像画像に表示面６１の全体が含まれるように表示面６１が読取口５にかざされていると２つのマーカ７２ａ，７２ｂが撮像されなくなるため、目的のパスポート６０の表示面６１を撮像しているか否かを容易に判定でき、その判定精度を高めることができる。したがって、旅券情報６２が表示される表示面６１の撮像画像に対して確認作業を要することなく自動保存でき、撮像画像の保存に関する作業の自動化を図り易くすることができる。
【０１２７】
なお、本実施形態及び変形例において、対向面７１に設けられる第１の識別表示は、２つのマーカ７２ａ，７２ｂに限らず、１つのマーカであってもよいし３つ以上のマーカであってもよい。また、対向面７１に設けられる第１の識別表示は、マーカ７２ａ，７２ｂのようにＱＲコードの位置検出パターンと同様に形成されることに限らず、撮像画像から認識しやすい形状であれば、矩形状や円形状、環状等の他の形状にて形成されてもよい。
【０１２８】
なお、差込口７０の対向面７１に第１の識別表示として設けられるマーカ７２ａ，７２ｂを考慮して撮像画像に表示面６１の全体が含まれているか否かについて判定する本実施形態及び変形例の特徴的構成は、他の実施形態にも適用することができる。
【０１２９】
［第５実施形態］
次に、本発明の第５実施形態に係る情報読取装置について、図２７〜図２９を用いて説明する。
本第５実施形態では、抽出された撮像画像の一部に第１の識別表示が含まれている場合に、撮像画像に表示面全体が含まれているか否かについて判定する点が主に上記第４実施形態と異なる。このため、第４実施形態と実質的に同様の構成部分には同一符号を付して説明を省略する。
【０１３０】
本実施形態における画像保存処理では、判定処理の迅速化を図るため、表示面６１が読取口５にかざされていない状態において撮像部２３により撮像された撮像画像のうちマーカ７２ａ，７２ｂが含まれる領域を識別表示領域Ｓａとするとき、撮像部２３により撮像された撮像画像の一部を上記識別表示領域Ｓａが含まれるように抽出し、この抽出された撮像画像の一部にマーカ７２ａ，７２ｂが含まれているか否かについて判定する。本実施形態では、図２８に例示するように、対向面７１に相当する撮像領域が識別表示領域Ｓａとして設定される。
【０１３１】
以下、本実施形態において、情報読取装置１ａの制御回路４０にて行われる画像保存処理について、図２７に示すフローチャートを参照して説明する。
上記第４実施形態と同様に画像保存処理が開始されると、まず、図２７のステップＳ１０１ａに示す処理にて、識別表示領域Ｓａを含むように撮像画像の一部が取り込まれる。また、識別表示領域Ｓａを撮像画像の一部として抽出する制御回路４０は、「第２抽出手段」の一例に相当し得る。
【０１３２】
そして、この取り込まれた撮像画像の一部に全てのマーカ７２ａ，７２ｂが含まれていないことからステップＳ２０１にてＮｏと判定され、マーカ７２ａおよびマーカ７２ｂの双方が隠されていることから、ステップＳ２０３にてＮｏと判定されると、撮像部２３を利用して画像全体が取り込まれ（Ｓ１２１）、この取り込まれた画像全体に対してステップＳ１０３以降の処理がなされる。一方、図２８に例示するように上記撮像画像の一部に全てのマーカ７２ａ，７２ｂが含まれているか（Ｓ２０１でＹｅｓ）、図２９に例示するようにマーカ７２ａが隠されてマーカ７２ｂが撮像画像に含まれていると（Ｓ２０３でＹｅｓ）、撮像画像に表示面６１の全体が含まれていないと判定されて、ステップＳ１２１以降の処理がなされることなく、ステップＳ１０１ａからの処理がなされる。
【０１３３】
このように、本実施形態では、撮像部２３により撮像された撮像画像の一部が上記識別表示領域Ｓａを含むように抽出され、この抽出された撮像画像の一部にマーカ７２ａ，７２ｂが含まれている場合に、撮像画像に表示面６１の全体が含まれていないと判定される。これにより、撮像画像から上述のように抽出した一部を判定用の画像領域として限定することができ、撮像画像の全てについてマーカ７２ａ，７２ｂが含まれているか否かを判定する場合と比較して、判定処理の迅速化を図ることができる。より具体的には、例えば、検出失敗時に行う上記報知までの時間を短縮することができる。
【０１３４】
［第６実施形態］
次に、本発明の第６実施形態に係る情報読取装置について、図３０〜図３３を用いて説明する。
本第６実施形態では、読取口５の近傍に設けられる接触センサの検出結果を考慮して撮像画像に表示面全体が含まれているか否かについて判定する点が主に上記第１実施形態と異なる。このため、第１実施形態と実質的に同様の構成部分には同一符号を付して説明を省略する。
【０１３５】
図３０に例示するように、本実施形態に係る情報読取装置１ｂは、上述した情報読取装置１に対して、読取側壁部３ａに４つの接触センサ７５ａ〜７５ｄが設けられるように構成されている。各接触センサ７５ａ〜７５ｄは、表示面６１の中央と読取口５の中央とがほぼ一致（表示面６１の一縁と読取口５の一縁とがほぼ一致）して表示面６１と読取口５とが接触するような適切なかざし状態にて、パスポート６０の外縁に接触するように読取口５の近傍となる四隅にそれぞれ配置されており、その検出結果を制御回路４０に出力するように構成されている。このため、撮像画像に表示面６１の外縁を除くほぼ全体が含まれるように表示面６１が読取口５に接触していると、各接触センサ７５ａ〜７５ｄからの接触信号が制御回路４０に入力され、表示面６１が読取口５に接触していない場合には、接触信号が制御回路４０に入力されない。すなわち、各接触センサ７５ａ〜７５ｄは、撮像画像に表示面６１のほぼ全体が含まれるように表示面６１が読取口５にかざされるときにパスポート６０との接触を検出するように機能する。
【０１３６】
そして、制御回路４０にて行われる画像保存処理では、図３１のステップＳ１０１に示す撮像処理がなされて読取口５を介した画像が撮像された後、ステップＳ３０１に示す判定処理にて各接触センサ７５ａ〜７５ｄのうちの少なくとも一部から接触信号が入力されているか否かについて判定される。ここで、表示面６１が読取口５に接触するようにパスポート６０がかざされていない場合や、図３２（Ａ）に例示するように表示面６１が読取口５から離れていることから、各接触センサ７５ａ〜７５ｄのいずれからも接触信号が入力されない場合には、ステップＳ３０１にてＮｏと判定されて、上記ステップＳ１０１からの処理が繰り返される。
【０１３７】
一方、図３２（Ｂ）に例示するように、表示面６１が読取口５に接触するようにパスポート６０がかざされている途中であることから、各接触センサ７５ａ〜７５ｄのうちの一部（図３２（Ｂ）の例では、接触センサ７５ｃ，７５ｄ）から接触信号が入力されていると、ステップＳ３０１にてＹｅｓ、ステップＳ３０３にてＮｏと判定される。この場合には、ステップＳ３０５に示す報知処理がなされ、読取口５に対する表示面６１の移動を促す情報を報知するための処理がなされる。この報知処理では、上記ステップＳ１１３の報知処理と同様に、発光部４６による発光状態やスピーカ４４による発音状態等に応じて、読取口５に対する表示面６１の移動を促す情報が報知される。すなわち、各接触センサ７５ａ〜７５ｄによりパスポート６０との接触状態が検出されない場合には、撮像画像に表示面６１の全体が含まれていないと判定される。
【０１３８】
そして、図３３に例示するように、表示面６１の中央と読取口５の中央とがほぼ一致して表示面６１と読取口５とが接触するようにパスポート６０が適切にかざされることで、各接触センサ７５ａ〜７５ｄの全てから接触信号がそれぞれ入力されると、ステップＳ３０３にてＹｅｓと判定されて、上記第１実施形態と同様にステップＳ１０３からの処理がなされる。なお、上記ステップＳ１０１における撮像処理は、上記ステップＳ３０３の判定処理にてＹｅｓと判定された後に行うようにしてもよい。
【０１３９】
このように、本実施形態では、撮像画像に表示面６１のほぼ全体が含まれるように表示面６１が読取口５にかざされるときにパスポート６０との接触を検出する接触センサ７５ａ〜７５ｄが設けられている。そして、各接触センサ７５ａ〜７５ｄによりパスポート６０との接触状態が検出されない場合に、撮像画像に表示面６１の全体が含まれていないと判定される。これにより、各接触センサ７５ａ〜７５ｄによる検出結果を判定条件の一部とすることができ、上記判定精度を向上させることができる。
【０１４０】
特に、４つの接触センサ７５ａ〜７５ｄが読取口５の近傍に設けられており、各接触センサ７５ａ〜７５ｄの少なくとも一部によりパスポート６０との接触状態が検出されない場合に、撮像画像に表示面６１の全体が含まれていないと判定される。このように複数の接触センサの検出結果を判定条件の一部とすることで、読取口５に対して表示面６１をかざしている途中に複数の接触センサの一部にて接触が検出される場合でも当該撮像画像に表示面６１の全体が含まれると判定されることもないので、上記判定精度をより向上させることができる。なお、読取口５の近傍に設けられる接触センサは、４つ設けられることに限らず、１つ〜３つ設けられてもよいし、５つ以上設けられてもよい。また、接触センサに代えて測距センサを設けることでパスポート６０までの距離を測定し、この測定結果を、撮像画像に表示面６１の全体が含まれているか否かを判定するための判定条件の一部としてもよい。
【０１４１】
図３４は、第６実施形態の第１変形例において情報読取装置にて行われる画像保存処理の流れを例示するフローチャートである。
本実施形態の第１変形例として、上記第２実施形態と同様に、各接触センサ７５ａ〜７５ｄのうちの一部から接触信号が入力されていることから、表示面６１の全体が含まれていないと判定された後、所定時間経過後に再度表示面６１の全体が含まれていないと判定されると、読取口５に対する表示面６１の移動を促す情報が報知されてもよい。
【０１４２】
具体的には、図３４に示すフローチャートのように、各接触センサ７５ａ〜７５ｄのうちの一部から接触信号が入力されていると（Ｓ３０１でＹｅｓ，Ｓ３０３でＮｏ）、ステップＳ３０７に示す判定処理にて、通知フラグがＯＮに設定されているか否かについて判定される。初期設定として画像保存処理の開始時にはＯＦＦに設定されていることからステップＳ３０７にてＮｏと判定されると、ステップＳ３０９にて通知フラグがＯＮに設定される。続いて、ステップＳ３１１の判定処理にて、通知フラグがＯＮに設定されてからの経過時間Ｔが所定時間Ｔｏを経過しているか否かについて判定され、経過時間Ｔが所定時間Ｔｏを経過するまでＮｏとの判定が繰り返される。その後、通知フラグがＯＮに設定されてからの経過時間Ｔが所定時間Ｔｏを経過すると（Ｓ３１１でＹｅｓ）、再度上記ステップＳ１０１からの処理がなされる。そして、所定時間Ｔｏ経過後でも、各接触センサ７５ａ〜７５ｄのうちの一部から接触信号が入力されている一方で全ての接触センサ７５ａ〜７５ｄから接触信号が入力されていないと（Ｓ３０３でＮｏ）、通知フラグがＯＮに設定されているためにステップＳ３０７にてＹｅｓと判定されて、上記ステップＳ３０５に示す報知処理がなされる。
【０１４３】
これにより、全ての接触センサ７５ａ〜７５ｄから接触信号が入力されておらずに各接触センサ７５ａ〜７５ｄのうちの一部から接触信号が入力されていても上記所定時間が経過するまで上記報知がなされないため、読取口５に対して表示面６１をかざしている途中に各接触センサ７５ａ〜７５ｄのうちの一部から接触信号が入力されるような場合にまで報知がなされることもないので、不要な報知を抑制することができる。
【０１４４】
図４６は、第６実施形態の第２変形例において情報読取装置にて行われる画像保存処理の流れを例示するフローチャートである。
本実施形態の第２変形例として、上記第１実施形態と異なり、特定の文字フォーマットを利用した旅券情報６２を利用することなく、各接触センサ７５ａ〜７５ｄからの接触信号を利用して撮像画像に表示面６１の全体が含まれているか否かについて判定してもよい。
【０１４５】
具体的には、図４６に示すフローチャートのように、撮像処理がなされることなく各接触センサ７５ａ〜７５ｄのうちの少なくとも一部から接触信号が入力されているか否かについて判定され、各接触センサ７５ａ〜７５ｄの全ての接触信号が入力されていると（Ｓ３０１，Ｓ３０３でＹｅｓ）、上記ステップＳ１０１にて撮像を行い撮像画像がメモリ３５に保存（記憶）される（Ｓ１１１）。一方、各接触センサ７５ａ〜７５ｄのうちの一部から接触信号が入力される場合には（Ｓ３０３でＮｏ）、読取口５に対する表示面６１の移動を促す情報を報知するための処理がなされる（Ｓ３０５）。
【０１４６】
このようしても、撮像画像に表示面６１の全体が含まれていない場合にはその撮像画像が保存されないので、撮像画像に表示面６１の全体が含まれているか否かについて従業員等が確認作業を行う必要も無い。特に、撮像画像に表示面６１の全体が含まれるように表示面６１が読取口５にかざされているとパスポート６０との接触が各接触センサ７５ａ〜７５ｄにより検出されるので、目的のパスポート６０の表示面６１を撮像しているか否かを容易に判定でき、その判定精度を高めることができる。したがって、旅券情報６２が表示される表示面６１の撮像画像に対して確認作業を要することなく自動保存でき、撮像画像の保存に関する作業の自動化を図り易くすることができる。
【０１４７】
なお、読取口５の近傍に設けられる接触センサの検出結果を考慮して撮像画像に表示面６１の全体が含まれているか否かについて判定する本実施形態及び変形例の特徴的構成は、他の実施形態にも適用することができる。
【０１４８】
［第７実施形態］
次に、本発明の第７実施形態に係る情報読取装置について、図３５及び図３６を用いて説明する。
本第７実施形態では、読取口５を覆う蓋部を利用して撮像画像から表示面６１に相当する部分を表示面画像として切り出して保存する点が主に上記第１実施形態と異なる。このため、第１実施形態と実質的に同様の構成部分には同一符号を付して説明を省略する。
【０１４９】
図３５に例示するように、本実施形態に係る情報読取装置１ｃは、上述した情報読取装置１に対して、蓋部８０が読取口５の長辺近傍の読取側壁部３ａにヒンジ部を介して傾動可能に連結されるように構成されている。この蓋部８０は、読取口側の面（以下、対向面８１ともいう）にて読取口５にかざされたパスポート６０を読取口５とともに覆うように形成されている。特に、対向面８１は、表示面６１との違いが明確になりやすい所定色（例えば、黒色）で統一されている。
【０１５０】
そして、読取口５にかざされたパスポート６０を蓋部８０にて覆うようにして画像保存処理を開始することで、撮像画像のうち表示面６１に相当する領域を除くと上記所定色で構成される対向面８１のみになる。すなわち、撮像画像から上記所定色の領域を除くように切り出した画像は、表示面６１に相当する表示面画像となる。
【０１５１】
そこで、本実施形態における画像保存処理では、図３６に示すフローチャートのように、特定文字範囲の全てが撮像画像における特定の領域Ｓｍ内に含まれており（Ｓ１０７でＹｅｓ）、且つ、特定文字範囲の大きさが所定値以上であると（Ｓ１０９でＹｅｓ）、ステップＳ４０１にて切り出し処理がなされる。この処理では、撮像画像から上記所定色の領域を除くように表示面画像が切り出される。そして、このように切り出された表示面画像がメモリ３５に保存されて（Ｓ１１１ａ）、本画像保存処理が終了する。なお、撮像画像から表示面６１に相当する部分を表示面画像として切り出す処理を行う制御回路４０は、「切り出し手段」の一例に相当し得る。
【０１５２】
このように、本実施形態では、撮像画像に表示面６１の全体が含まれていると判定された撮像画像から表示面６１に相当する部分が表示面画像として切り出され、この切り出された表示面画像がメモリ３５に保存される。これにより、撮像画像全体を保存する場合よりもメモリ３５に保存される画像サイズが小さくなるので、保存に必要なデータ量を削減することができる。
【０１５３】
特に、パスポート６０を介して読取口５を覆う蓋部８０が設けられ、この蓋部８０は、読取面側の面となる対向面７１の色が所定色で統一されている。そして、撮像画像から上記所定色となる領域を除くことで表示面画像が切り出される。これにより、撮像画像において表示面画像と異なる領域は上記所定色となるので、当該所定色を基準に表示面画像を切り出すことができ、切り出し処理に関する切り出し精度を向上させることができる。
【０１５４】
本実施形態の第１変形例として、読取口５の近傍に設けられる蓋部は、図３７に例示する蓋部８０ａのように、読取口５の短辺近傍の読取側壁部３ａにヒンジ部を介して傾動可能に連結されるように構成されてもよい。
【０１５５】
また、本実施形態の第２変形例として、読取口５の近傍に設けられる蓋部は、図３８（Ａ）に例示する蓋部８０ｂのように、蛇腹状に形成されて、読取口５とほぼ同じ大きさの表示面を撮像する場合には折り畳んだ状態で使用せず、読取口５よりも小さい表示面を撮像する場合には図３８（Ｂ）に例示するように延ばして表示媒体を読取口５とともに覆うようにしてもよい。
【０１５６】
なお、撮像画像から表示面６１に相当する部分を表示面画像として切り出して保存する本実施形態及び変形例の特徴的構成は、他の実施形態にも適用することができる。すなわち、蓋部を利用することなく、例えば、撮像画像に表示面６１の全体が含まれていると判定された撮像画像から特定文字範囲６３の位置等を規準に表示面画像を切り出すことでも、切り出す基準が明確となり、切り出し処理に関する切り出し精度を向上させることができる。
【０１５７】
［第８実施形態］
次に、本発明の第８実施形態に係る情報読取装置について、図３９及び図４０を用いて説明する。
本第８実施形態では、読取口よりも小さな表示面の表示媒体を撮像する際に利用するアタッチメントが設けられる点が主に上記第１実施形態と異なる。このため、第１実施形態と実質的に同様の構成部分には同一符号を付して説明を省略する。
【０１５８】
撮像対象となる表示媒体は、パスポート６０に限らず、より小さな表示面を有する表示媒体、例えば、運転免許証や名刺等が想定される。このように大きさが異なる複数の表示媒体を撮像対象とする場合、読取口５の大きさを最も大きな表示媒体の表示面の形状（例えば、パスポート６０の表示面６１）に合わせることが好ましい。表示面６１を読取口５に対して適切な位置にかざしやすくなるからである。
【０１５９】
これに対して、小さな表示面を有する表示媒体では、その表示面を撮像可能に読取口５にかざせたとしても、そのかざす位置関係が一定でなければ、上記第７実施形態のように表示面画像を切り出すために画像解析等が必要となる。
【０１６０】
そこで、本実施形態では、読取口よりも小さな表示面の表示媒体を撮像する際に利用するアタッチメントを採用する。例えば、運転免許証６０ａでは、図３９（Ａ）に例示するアタッチメント９０ａに組み付けるように利用し、このアタッチメント９０ａは、運転免許証６０ａが組み付けられた状態で読取口５に向かう面が当該読取口５と同じ形状となるように形成される。また、運転免許証６０ａと異なる形状の名刺６０ｂでは、図３９（Ｂ）に例示するアタッチメント９０ｂに組み付けるように利用し、このアタッチメント９０ｂは、名刺６０ｂが組み付けられた状態で読取口５に向かう面が当該読取口５と同じ形状となるように形成される。なお、運転免許証６０ａの表示面６１ａや名刺６０ｂの表示面６１ｂには、特定の文字フォーマットを利用した所定の情報が決められた所定の位置に表示されており、この特定の文字フォーマット等に関する情報は、判定用情報として予めメモリ３５に記憶されているものとする。
【０１６１】
特に、アタッチメント９０ａの読取口側の面（以下、対向面９１ａともいう）の所定位置には、情報コード９２ａが表示されている。この情報コード９２ａは、複数のセル（明色系セル及び暗色系セル）が二次元状に配列されることで例えばＱＲコードとして構成されており、運転免許証６０ａが組み付けられたアタッチメント９０ａの対向面９１ａを撮像したとき、この撮像画像において運転免許証６０ａの表示面６１ａの位置を当該情報コード９２ａを基準として求めるための情報が予め記録されている。
【０１６２】
同様に、アタッチメント９０ｂの読取口側の面（以下、対向面９１ｂともいう）の所定位置には、情報コード９２ｂが表示されている。この情報コード９２ｂは、情報コード９２ａと同様に複数のセルが二次元状に配列されることで例えばＱＲコードとして構成されており、名刺６０ｂが組み付けられたアタッチメント９０ｂの対向面９１ｂを撮像したとき、この撮像画像において名刺６０ｂの表示面６１ｂの位置を当該情報コード９２ｂを基準として求めるための情報が予め記録されている。
【０１６３】
このため、アタッチメント９０ａを利用して運転免許証６０ａの撮像画像を保存する場合、本実施形態における画像保存処理では、図４０に示すフローチャートのように、特定文字範囲の全てが撮像画像における特定の領域Ｓｍ内に含まれており（Ｓ１０７でＹｅｓ）、且つ、特定文字範囲の大きさが所定値以上であると（Ｓ１０９でＹｅｓ）、ステップＳ４０３にてデコード処理がなされ、対向面９１ａに表示された情報コード９２ａがデコード（解読）される。なお、情報コード９２ａは、対向面９１ａの所定位置に表示されることから、上記デコード処理は、撮像画像において上記所定位置に相当する範囲及びその周辺に対して行うようにしてもよい。
【０１６４】
そして、上記デコード処理が成功すると（Ｓ４０５でＹｅｓ）、読み取られたデコード結果に基づいて、運転免許証６０ａの表示面６１ａの位置を当該情報コード９２ａを基準として求め、この求められた表示面６１ａの位置に応じて表示面画像が切り出される（Ｓ４０１ａ）。そして、このように切り出された表示面画像がメモリ３５に保存される（Ｓ１１１ｂ）。一方、上記デコード処理が失敗すると（Ｓ４０５でＮｏ）、切り出し処理がなされることなく、ステップＳ１０１にて撮像された撮像画像がメモリ３５に保存される（Ｓ１１１ｂ）。
【０１６５】
このように、本実施形態では、運転免許証６０ａの表示面６１ａや名刺６０ｂの表示面６１ｂ等を読取口５にかざす際に運転免許証６０ａや名刺６０ｂ等の表示媒体が組み付けられるアタッチメント（９０ａ，９０ｂ）が設けられ、このアタッチメントは、表示媒体が組み付けられた状態で読取口５に向かう面が当該読取口５と同じ形状となるように形成される。これにより、表示媒体が組み付けられたアタッチメントを読取口５に合わせるようにかざすことで、撮像画像に表示面全体が含まれ易くなるので、表示面全体が撮像された撮像画像を保存し易くすることができる。
【０１６６】
特に、情報コードが読み取られて撮像画像に表示面全体が含まれていると判定された撮像画像から、表示面に相当する部分が、情報コードの位置に基づいて表示面画像として切り出されてメモリ３５に保存される。これにより、撮像画像全体を保存する場合よりもメモリ３５に保存される画像サイズが小さくなるので、保存に必要なデータ量を削減することができる。特に、情報コードの位置に基づいて撮像画像から表示面画像を切り出すため、切り出す基準が明確となり、切り出し処理に関する切り出し精度を向上させることができる。
【０１６７】
図４１は、第８実施形態の第１変形例に係る情報読取装置の要部を説明する説明図である。なお、図４１では、表示媒体の外形を二点鎖線にて示している。
本実施形態の第１変形例として、図４１に例示するアタッチメント９０ｃように、読取口側の対向面９１ｃに設けられる情報コード９２ｃは、そのセルのサイズが、アタッチメント９０ｃが読取口５に接触しているときにその情報コード９２ｃが読み取り可能であってアタッチメント９０ｃが読取口５から離れているとその情報コード９２ｃが読み取り不能となるように小さく設定されてもよい。このため、表示媒体が組み付けられたアタッチメント９０ｃを読取口５に対して近づけている途中に撮像された情報コード９２ｃは読み取り不能となる。
【０１６８】
そして、画像保存処理では、情報コード９２ｃが読み取れない場合には、撮像画像に表示面全体が含まれていないと判定する。これにより、読取口５に対して表示面を近づけている途中に撮像された撮像画像が保存されることを抑制することができる。
【０１６９】
図４２は、第８実施形態の第２変形例に係る情報読取装置の要部を説明する説明図である。なお、図４２では、表示媒体の外形を二点鎖線にて示している。
また、本実施形態の第２変形例として、図４２に例示するアタッチメント９０ｄのように、読取口５に向かう面９１ｄに、例えばＱＲコードの位置検出パターンと同様の形状であって規定の大きさの識別表示９３を付し、撮像部２３により撮像された識別表示９３が占める領域の画素サイズが規定の大きさに相当する画素サイズに一致するとみなされない場合に、当該撮像画像に表示面全体が含まれていないと判定してもよい。すなわち、識別表示９３が占める領域の画素サイズが規定の大きさに相当する画素サイズに一致するとみなされない撮像画像は、メモリ３５に保存されることはない。なお、識別表示９３は、ＱＲコードの位置検出パターンと同様に形成されることに限らず、撮像画像から認識しやすくする形状であれば、矩形状や円形状、環状等の他の形状にて形成されてもよいし、ＱＲコード等の情報コードとして形成されてもよい。このように形成される識別表示９３は、「第２の識別表示」の一例に相当し得る。
【０１７０】
表示媒体が組み付けられたアタッチメント９０ｄを読取口５に対して近づけている途中に撮像された撮像画像では、識別表示９３が占める画像領域の大きさは、アタッチメント９０ｄを読取口５に対して接触させた状態で撮像された撮像画像での大きさよりも小さくなる。このため、さらに、識別表示９３が占める画像領域の大きさが所定値以上となる判定条件を追加することで、表示媒体が組み付けられたアタッチメント９０ｄを読取口５に対して近づけている途中に撮像された撮像画像が保存されることを抑制することができる。
【０１７１】
また、撮像部２３により撮像された識別表示９３が占める領域の画素サイズが規定の大きさに相当する画素サイズに一致するとみなされて撮像画像に表示面全体が含まれていると判定された撮像画像から、表示面に相当する部分を、識別表示９３の位置に基づいて表示面画像として切り出してメモリ３５に保存してもよい。このようにしても、撮像画像全体を保存する場合よりもメモリ３５に保存される画像サイズが小さくなるので、保存に必要なデータ量を削減することができる。特に、識別表示９３の位置に基づいて撮像画像から表示面画像を切り出すため、切り出す基準が明確となり、切り出し処理に関する切り出し精度を向上させることができる。
【０１７２】
［第９実施形態］
次に、本発明の第９実施形態に係る情報読取装置を備える情報管理システムについて、図４３及び図４４を用いて説明する。
本実施形態に係る情報管理システム１００は、セルフチェックイン端末として構成されるもので、上述した情報読取装置１と、この情報読取装置１と通信可能な上位端末１０１とを備えるように構成されている。より具体的には、情報管理システム１００は、図４３に示すように、箱状の筐体１１０により外郭が構成され、この筐体１１０の外面や内部に、上位端末１０１や、表示部１０２、スピーカ１０３、金銭機器１０４、クレジットカードリーダ１０５、発光部１０６及びルームキー発行機１０７等が設けられている。
【０１７３】
本実施形態では、情報読取装置１は、筐体１１０の正面に形成される開口１１１を介して読取口５が露出するように配置されている。このため、パスポート６０の表示面６１等を読取口５にかざす場合には、宿泊客等の利用者がパスポート６０等を開口１１１内に入れることとなる。そして、情報読取装置１は、上記画像保存処理時に、メモリ３５に保存される撮像画像や報知処理（Ｓ１１３，Ｓ２０３，Ｓ３０５）に関する情報等を上位端末１０１に対して送信するように構成される。
【０１７４】
また、表示部１０２は、タッチパネル型の表示装置であって、その表示画面が筐体１１０の正面上部に位置するように配置されており、上位端末１０１によって表示内容が制御され、タッチ操作に応じた信号を上位端末１０１に出力するように構成されている。スピーカ１０３は、表示画面の左右に一対配置され、上位端末１０１により制御されて、予め設定された音声やアラーム音等の各種通知音を発するように構成されている。発光部１０６は、例えばＬＥＤであって、一方のスピーカ１０３のさらに外側に３つ並んで配置されており、上位端末１０１により制御されて、点灯・点滅するように構成されている。
【０１７５】
金銭機器１０４は、筐体１１０の正面の紙幣挿入口１１２から挿入される紙幣や硬貨挿入口１１３から挿入される硬貨を収集し、この収集された金銭の総額を演算してその情報を、上位端末１０１に送信等するように構成されている。クレジットカードリーダ１０５は、筐体１１０の正面のクレジットカード挿入口１１４から挿入されるクレジットカード等の決済用媒体の情報を読み取り、その読み取った情報等を上位端末１０１に送信等するように構成されている。ルームキー発行機１０７は、ルームキーを発行するための機器であって、上位端末１０１からの指示に応じて発行したルームキーを筐体１１０の正面のルームキー発行口１１５を介して送出するように構成されている。
【０１７６】
そして、上位端末１０１は、セルフチェックイン端末として構成される情報管理システム１００の全体制御を司るもので、宿泊客等の利用者による操作に応じて、セルフチェックイン処理を行い、この処理時に、情報読取装置１や表示部１０２、スピーカ１０３、金銭機器１０４、クレジットカードリーダ１０５、発光部１０６及びルームキー発行機１０７等を制御するように構成されている。また、上位端末１０１は、外部のプリンタ１２０に接続されており、撮像画像等を印刷するための印刷データを送信可能に構成されている。
【０１７７】
このように構成される情報管理システム１００では、情報読取装置１からメモリ３５に保存される撮像画像を受信した上位端末１０１により、この撮像画像を利用した処理、例えば、プリンタ１２０を利用した撮像画像の印刷や表示部１０２を利用した画像表示等の処理が行われる。このようにしても、撮像画像保存装置として機能する情報読取装置１により、確認作業を要することなく自動保存された撮像画像を利用でき、撮像画像に関する情報管理の利便性を向上させることができる。
【０１７８】
特に、情報読取装置１から報知された情報（読取口５に対する表示面６１の移動を促す情報等）に関する情報を上位端末１０１による制御に応じて表示部１０２に画面表示することができる（図４３参照）。これにより、報知を受けた利用者は、読取口５に対して表示面６１を正しくかざしていないことを容易に視認することができる。なお、報知された情報に関する情報は、スピーカ１０３による発音や発光部１０６による点灯・点滅に応じて利用者に報知されてもよい。
【０１７９】
なお、上述した各実施形態における情報読取装置１，１ａ，１ｂ，１ｃを組み込むように情報管理システム１００を構成することができる。また、図４５に例示する情報管理システム１００ａのように、パーソナルコンピュータとして構成される上位端末１０１ａと情報読取装置１等とを備えるようにシステム構成されてもよいし、タブレット等として構成される上位端末と情報読取装置１等とを備えるようにシステム構成されてもよい。このように構成される場合でも、例えば、図４５に例示するように、上位端末１０１ａの表示部１０２ａに情報読取装置１から報知された情報（読取口５に対する表示面６１の移動を促す情報等）に関する情報を画面表示したり、発音等することで上記効果を奏する。
【０１８０】
なお、本発明は上記各実施形態及び変形例に限定されるものではなく、例えば、以下のように具体化してもよい。
（１）本発明は、パスポート６０や運転免許証６０ａ、名刺６０ｂの表示面が撮像画像を保存する保存対象となることに限らず、例えば、特定の文字フォーマット等を利用して所定の情報が表示される表示媒体の表示面であれば撮像画像を保存する保存対象とすることができる。
【０１８１】
（２）本発明に係る撮像画像保存装置は、情報読取装置１，１ａ〜１ｃのように撮像した光学的情報（情報コードや文字情報等）を光学的に読み取る機能を有するように構成されることに限らず、少なくとも読取面にかざされた表示媒体の表示面を撮像する撮像手段とその撮像画像を保存する保存手段等とを有するように構成されればよい。
【符号の説明】
【０１８２】
１，１ａ〜１ｃ…情報読取装置（撮像画像保存装置）
５…読取口（読取面）
２３…撮像部（撮像手段）
３５…メモリ（保存手段）
４０…制御回路（判定手段，切り出し手段，第１抽出手段，第２抽出手段，情報コード読取手段）
４４…スピーカ（発音部，第１報知手段，第２報知手段）
４６…発光部（第１報知手段，第２報知手段）
６０…パスポート（表示媒体）
６０ａ…運転免許証（表示媒体）
６０ｂ…名刺（表示媒体）
６１，６１ａ，６１ｂ…表示面
６２…旅券情報（所定の情報）
７０…差込口
７１…対向面
７２ａ，７２ｂ…マーカ（第１の識別表示）
７５ａ〜７５ｄ…接触センサ
８０，８０ａ，８０ｂ…蓋部
８１…裏面
９０ａ〜９０ｄ…アタッチメント
９１ａ〜９１ｄ…対向面
９２ａ〜９２ｃ…情報コード
９３…識別表示（第２の識別表示）
１００，１００ａ…情報管理システム
１０１，１０１ａ…上位端末
１０２，１０２ａ…表示部（表示手段）
【図１】
2018097565.tif 000003
【図２】
2018097565.tif 000004
【図３】
2018097565.tif 000005
【図４】
2018097565.tif 000006
【図５】
2018097565.tif 000007
【図６】
2018097565.tif 000008
【図７】
2018097565.tif 000009
【図８】
2018097565.tif 000010
【図９】
2018097565.tif 000011
【図１０】
2018097565.tif 000012
【図１１】
2018097565.tif 000013
【図１２】
2018097565.tif 000014
【図１３】
2018097565.tif 000015
【図１４】
2018097565.tif 000016
【図１５】
2018097565.tif 000017
【図１６】
2018097565.tif 000018
【図１７】
2018097565.tif 000019
【図１８】
2018097565.tif 000020
【図１９】
2018097565.tif 000021
【図２０】
2018097565.tif 000022
【図２１】
2018097565.tif 000023
【図２２】
2018097565.tif 000024
【図２３】
2018097565.tif 000025
【図２４】
2018097565.tif 000026
【図２５】
2018097565.tif 000027
【図２６】
2018097565.tif 000028
【図２７】
2018097565.tif 000029
【図２８】
2018097565.tif 000030
【図２９】
2018097565.tif 000031
【図３０】
2018097565.tif 000032
【図３１】
2018097565.tif 000033
【図３２】
2018097565.tif 000034
【図３３】
2018097565.tif 000035
【図３４】
2018097565.tif 000036
【図３５】
2018097565.tif 000037
【図３６】
2018097565.tif 000038
【図３７】
2018097565.tif 000039
【図３８】
2018097565.tif 000040
【図３９】
2018097565.tif 000041
【図４０】
2018097565.tif 000042
【図４１】
2018097565.tif 000043
【図４２】
2018097565.tif 000044
【図４３】
2018097565.tif 000045
【図４４】
2018097565.tif 000046
【図４５】
2018097565.tif 000047
【図４６】
2018097565.tif 000048